(57)【要約】ウェイクアップ無線（ＷＵＲ）動作のための狭帯域マルチチャネル送信のための手順および機構を開示する。ＷＵＲモードで動作する局（ＳＴＡ）は、それの１次接続無線（ＰＣＲ）をオフにされ、それのＷＵＲをオンされ、前にネゴシエートされたＷＵＲ動作パラメータに従って動作することができる。ＳＴＡは、第１のＷＵＲチャネルを介したＷＵＲビーコンおよびフレームについて監視し、第１の期間内にビーコンが受信されないことに基づいて第１のＷＵＲチャネルが信頼できる送信をサポートしないと決定することができる。ＳＴＡは、ＷＵＲをオフにし、ＰＣＲをオンにして、ウェイクアップ理由を含む第１のショートＷＵＲフレームに送り、ＷＵＲチャネル割当てをもつ第２のショートＷＵＲフレームを受信することができる。ＳＴＡは、ＰＣＲをオフにし、ＷＵＲをオンにし、ＷＵＲチャネル割当てと前にネゴシエートされたＷＵＲ動作パラメータとに従って第２のＷＵＲチャネル上のＷＵＲ信号についてモニターすることができる。
2020519176.tif 000002
【特許請求の範囲】
【請求項１】
ウェイクアップ無線（ＷＵＲ）モードで動作するように構成されたワイヤレス送信／受信ユニット（ＷＴＲＵ）であって、
プロセッサに動作可能に結合された１次接続無線（ＰＣＲ）であって、前記ＰＣＲがオフにされる、ＰＣＲと、
前記プロセッサに動作可能に結合されたＷＵＲであって、前記ＷＵＲは、オンにされ、前にネゴシエートされたＷＵＲ動作パラメータのセットに従って動作する、ＷＵＲと、
第１のＷＵＲチャネルを介したＷＵＲビーコンとＷＵＲフレームとについてワイヤレス媒体をモニターするように構成された前記ＷＵＲと前記プロセッサと、
前記ＷＵＲが第１の期間内にビーコンを正常に受信しないことに基づいて前記第１のＷＵＲチャネルが信頼できる送信をサポートしないと決定するように構成された前記ＷＵＲと前記プロセッサと、
前記第１のＷＵＲチャネルが信頼できる送信をサポートしないと前記ＷＵＲと前記プロセッサとが決定することに基づいて、
ウェイクアップ理由を第１の理由に設定するように構成された前記プロセッサと、
オフになるように構成された前記ＷＵＲと、
オンになり、アクセスポイント（ＡＰ）に、少なくとも前記ウェイクアップ理由を含む第１のショートＷＵＲフレームを送るように構成された前記ＰＣＲと、
前記ＡＰから、少なくとも第１のＷＵＲチャネル割当てをもつ第２のショートＷＵＲフレームを受信するように構成された前記ＰＣＲと、
オフになるように構成された前記ＰＣＲと、
オンになり、前記第１のＷＵＲチャネル割当てと前にネゴシエートされたＷＵＲ動作パラメータの前記セットとに従って第２のＷＵＲチャネル上のＷＵＲ信号について前記ワイヤレス媒体をモニターするように構成された前記ＷＵＲであって、前記第１のＷＵＲチャネル割当てが、前にネゴシエートされたＷＵＲ動作パラメータの前記セット中のＷＵＲチャネル割当てをオーバーライドする、前記ＷＵＲと
を備えるＷＴＲＵ。
【請求項２】
前記ＷＵＲと前記プロセッサとは、前記ＷＵＲが最低チャネルレートで動作しながら第２の期間内にＷＵＲフレームを正常に受信しないことに基づいて前記第１のＷＵＲチャネルが信頼できる送信をサポートしないと決定するようにさらに構成され、
前記第１のＷＵＲチャネルが信頼できる送信をサポートしないと前記ＷＵＲと前記プロセッサとが決定することに基づいて、
前記ウェイクアップ理由を前記第１の理由に設定するように構成された前記プロセッサと、
オフになるように構成された前記ＷＵＲと、
オンになり、前記ＡＰに、少なくとも前記ウェイクアップ理由を含む第３のショートＷＵＲフレームを送るように構成された前記ＰＣＲと、
前記ＡＰから、少なくとも第２のＷＵＲチャネル割当てをもつ第４のショートＷＵＲフレームを受信するように構成された前記ＰＣＲと、
オフになるように構成された前記ＰＣＲと、
オンになり、前記第２のＷＵＲチャネル割当てと前にネゴシエートされたＷＵＲ動作パラメータの前記セットとに従って第３のＷＵＲチャネル上のＷＵＲ信号について前記ワイヤレス媒体をモニターするように構成された前記ＷＵＲであって、前記第２のＷＵＲチャネル割当てが、前にネゴシエートされたＷＵＲ動作パラメータの前記セット中のＷＵＲチャネル割当てをオーバーライドする、前記ＷＵＲと
請求項１に記載のＷＴＲＵ。
【請求項３】
前記第１の期間と前記第２の期間とは同じである請求項２に記載のＷＴＲＵ。
【請求項４】
前記第１のＷＵＲチャネルと前記第２のＷＵＲチャネルとはそれぞれ、狭い周波数帯域幅を有する請求項１に記載のＷＴＲＵ。
【請求項５】
前記ＷＵＲと前記プロセッサとは、前記ＷＵＲが最低データレートを上回って動作しながら第２の期間内にＷＵＲフレームを正常に受信しないことに基づいて前記第１のＷＵＲチャネルを介したＷＵＲ送信のデータレートが高すぎると決定するようにさらに構成され、
前記第１のＷＵＲチャネルを介したＷＵＲ送信の前記データレートが高すぎると前記ＷＵＲと前記プロセッサとが決定することに基づいて、
前記ウェイクアップ理由を第２の理由に設定するように構成された前記プロセッサと、
オフになるように構成された前記ＷＵＲと、
オンになり、前記ＡＰに、少なくとも前記ウェイクアップ理由を含む第１のショートＷＵＲフレームを送るように構成された前記ＰＣＲと、
前記ＡＰから、少なくとも第１のＷＵＲデータレート割当てをもつ第２のショートＷＵＲフレームを受信するように構成された前記ＰＣＲと、
オフになるように構成された前記ＰＣＲと、
前記第１のＷＵＲデータレート割当てと前にネゴシエートされたＷＵＲ動作パラメータの前記セットとに従ってＷＵＲ信号について前記ワイヤレス媒体をオンしてモニターするように構成された前記ＷＵＲであって、前記第１のＷＵＲデータレート割当てが、前にネゴシエートされたＷＵＲ動作パラメータの前記セット中のＷＵＲデータレート割当てをオーバーライドする、前記ＷＵＲと
請求項１に記載のＷＴＲＵ。
【請求項６】
前記ＷＵＲと前記プロセッサとは、前記ＷＵＲが前記第１の期間内にビーコン、および第２の期間内にＷＵＲフレームを正常に受信することに基づいて前記第１のＷＵＲチャネルが信頼できる送信をサポートすると決定するようにさらに構成され、
前記第１のＷＵＲチャネルが信頼できる送信をサポートすると前記ＷＵＲと前記プロセッサとが決定することに基づいて、前記プロセッサは少なくとも１つの受信されたＷＵＲフレーム中の命令に従うように構成された
請求項１に記載のＷＴＲＵ。
【請求項７】
前にネゴシエートされたＷＵＲ動作パラメータの前記セットは、前記ＷＴＲＵと前記ＡＰとの間でのＷＵＲセットアップ情報の交換中に前にネゴシエートされた請求項１に記載のＷＴＲＵ。
【請求項８】
前にネゴシエートされたＷＵＲ動作パラメータの前記セットは、ＷＵＲチャネル割当て、ＷＵＲデータレート、ＷＵＲチャネルホッピングパターン、ＷＵＲ開始時間、動作ＷＵＲチャネルのセット、ＷＵＲビーコン情報、ＷＵＲ同期情報、ＷＵＲ最大モニタリング期間、前記ＷＴＲＵに割り当てられたＷＵＲ局識別情報（ＩＤ）、ＷＵＲデューティサイクル情報、またはショートＷＵＲネゴシエーション情報のうちの少なくとも１つを含む請求項１に記載のＷＴＲＵ。
【請求項９】
前記ＷＵＲは、ＷＵＲデューティサイクルに従って周期的に電源オフおよび電源オンするようにさらに構成され、１ミリワット（ｍＷ）を下回るアクティブ受信機電力消費量を有する
請求項１に記載のＷＴＲＵ。
【請求項１０】
８０２．１１局（ＳＴＡ）として構成された請求項１に記載のＷＴＲＵ。
【請求項１１】
ウェイクアップ無線（ＷＵＲ）モードで動作するように構成されたワイヤレス送信／受信ユニット（ＷＴＲＵ）によって実行される方法であって、
１次接続無線（ＰＣＲ）をオフにするステップと、
ＷＵＲをオンにし、前にネゴシエートされたＷＵＲ動作パラメータのセットに従ってＷＵＲを動作させるステップと、
前記ＷＵＲを使用して、第１のＷＵＲチャネルを介したＷＵＲビーコンとＷＵＲフレームとについてワイヤレス媒体をモニターするステップと、
前記ＷＵＲが第１の期間内にビーコンを正常に受信しないことに基づいて前記第１のＷＵＲチャネルが信頼できる送信をサポートしないと決定するステップと、
前記第１のＷＵＲチャネルが信頼できる送信をサポートしないとの前記決定に基づいて、
ウェイクアップ理由を第１の理由に設定するステップと、
前記ＷＵＲをオフにするステップと、
前記ＰＣＲをオンにするステップと、
前記ＰＣＲを使用して、アクセスポイント（ＡＰ）に、少なくとも前記ウェイクアップ理由を含む第１のショートＷＵＲフレームを送るステップと、
前記ＡＰから、少なくとも第１のＷＵＲチャネル割当てをもつ第２のショートＷＵＲフレームを受信するステップと、
前記ＰＣＲをオフにするステップと、
前記ＷＵＲをオンにするステップと、
前記第１のＷＵＲチャネル割当てと前にネゴシエートされたＷＵＲ動作パラメータの前記セットとに従って第２のＷＵＲチャネル上のＷＵＲ信号について前記ワイヤレス媒体をモニターするステップであって、前記第１のＷＵＲチャネル割当てが、前にネゴシエートされたＷＵＲ動作パラメータの前記セット中のＷＵＲチャネル割当てをオーバーライドする、モニターするステップと
を備える方法。
【請求項１２】
前記ＷＵＲが最低チャネルレートで動作しながら第２の期間内にＷＵＲフレームを正常に受信しないことに基づいて前記第１のＷＵＲチャネルが信頼できる送信をサポートしないと決定するステップと、
前記第１のＷＵＲチャネルが信頼できる送信をサポートしないとの前記決定に基づいて、
前記ウェイクアップ理由を前記第１の理由に設定するステップと、
前記ＷＵＲをオフにするステップと、
前記ＰＣＲをオンにするステップと、
前記ＰＣＲを使用して、前記ＡＰに、少なくとも前記ウェイクアップ理由を含む第３のショートＷＵＲフレームを送るステップと、
前記ＰＣＲを使用して、前記ＡＰから、前記ＰＣＲを使用して、少なくとも第２のＷＵＲチャネル割当てをもつ第４のショートＷＵＲフレームを受信するステップと、
前記ＰＣＲをオフにするステップと、
前記ＷＵＲをオンにするステップと、
前記第２のＷＵＲチャネル割当てと前にネゴシエートされたＷＵＲ動作パラメータの前記セットとに従って第３のＷＵＲチャネル上のＷＵＲ信号について前記ワイヤレス媒体をモニターするステップであって、前記第２のＷＵＲチャネル割当てが、前にネゴシエートされたＷＵＲ動作パラメータの前記セット中のＷＵＲチャネル割当てをオーバーライドする、モニターするステップと
をさらに備える請求項１１に記載の方法。
【請求項１３】
前記第１の期間と前記第２の期間とは同じである請求項１２に記載の方法。
【請求項１４】
前記第１のＷＵＲチャネルと前記第２のＷＵＲチャネルとはそれぞれ、狭い周波数帯域幅を有する請求項１１に記載の方法。
【請求項１５】
前記ＷＵＲが最低データレートを上回って動作しながら第２の期間内にＷＵＲフレームを正常に受信しないことに基づいて前記第１のＷＵＲチャネルを介したＷＵＲ送信のデータレートが高すぎると決定するステップと、
前記第１のＷＵＲチャネルを介したＷＵＲ送信の前記データレートが高すぎるとの前記決定に基づいて、
前記ウェイクアップ理由を第２の理由に設定するステップと、
前記ＷＵＲをオフにするステップと、
前記ＰＣＲをオンにするステップと、
前記ＰＣＲを使用して、前記ＡＰに、少なくとも前記ウェイクアップ理由を含む第１のショートＷＵＲフレームを送るステップと、
前記ＰＣＲを使用して、前記ＡＰから、前記ＰＣＲを使用して、少なくとも第１のＷＵＲデータレート割当てをもつ第２のショートＷＵＲフレームを受信するステップと、
前記ＰＣＲをオフにするステップと、
前記ＷＵＲをオンにするステップと、
前記第１のＷＵＲデータレート割当てと前にネゴシエートされたＷＵＲ動作パラメータの前記セットとに従ってＷＵＲ信号について前記ワイヤレス媒体をモニターするステップであって、前記第１のＷＵＲデータレート割当てが、前にネゴシエートされたＷＵＲ動作パラメータの前記セット中のＷＵＲデータレート割当てをオーバーライドする、モニターするステップと
をさらに備える請求項１１に記載の方法。
【請求項１６】
前記ＷＵＲが前記第１の期間内にビーコンを、第２の期間内にＷＵＲフレームを正常に受信することに基づいて、前記第１のＷＵＲチャネルが信頼できる送信をサポートすると決定するステップと、
前記第１のＷＵＲチャネルが信頼できる送信をサポートするとの前記決定に基づいて、少なくとも１つの受信されたＷＵＲフレーム中の命令に従うステップと
をさらに備える請求項１１に記載の方法。
【請求項１７】
前にネゴシエートされたＷＵＲ動作パラメータの前記セットは、前記ＷＴＲＵと前記ＡＰとの間でのＷＵＲセットアップ情報の交換中に前にネゴシエートされた請求項１１に記載の方法。
【請求項１８】
前にネゴシエートされたＷＵＲ動作パラメータの前記セットは、ＷＵＲチャネル割当て、ＷＵＲデータレート、ＷＵＲチャネルホッピングパターン、ＷＵＲ開始時間、動作ＷＵＲチャネルのセット、ＷＵＲビーコン情報、ＷＵＲ同期情報、ＷＵＲ大モニタリング期間、前記ＷＴＲＵに割り当てられたＷＵＲ局識別情報（ＩＤ）、ＷＵＲデューティサイクル情報、またはショートＷＵＲネゴシエーション情報のうちの少なくとも１つを含む請求項１１に記載の方法。
【請求項１９】
ＷＵＲデューティサイクルに従って前記ＷＵＲ上で周期的に電源オフおよび電源オンするステップであって、前記ＷＵＲは、１ミリワット（ｍＷ）を下回るアクティブ受信機電力消費量を有する、周期的に電源オフおよび電源オンするステップ
をさらに備える請求項１１に記載の方法。
【請求項２０】
前記ＷＴＲＵは、８０２．１１局（ＳＴＡ）として構成された請求項１１に記載の方法。
【発明の詳細な説明】
【技術分野】
【０００１】
ウェイクアップ無線のための狭帯域マルチチャネル送信の手順および機構に関する。
【背景技術】
【０００２】
本出願は、それらの内容が参照により本明細書に組み込まれる、２０１７年５月５日に出願された米国仮出願第６２／５０２，３３６号、２０１７年９月７日に出願された米国仮出願第６２／５５５，４９７号、および２０１７年１２月７日に出願された米国仮出願第６２／５９５，９０１号の利益を主張する。
【０００３】
ローカルエリアネットワーク（ＬＡＮ）のための固定または低モビリティワイヤレス通信は、ＷｉＦｉとも一般に呼ばれる米国電気電子技術者協会（ＩＥＥＥ）８０２．１１ａ、８０２．１１ｂ、８０２．１１ｇ、８０２．１１ｎ、８０２．１１ａｃ、８０２．１１ａｘまたは一般に８０２．１１ｘなどの技術を利用する。これらの技術は、少なくとも２つのポイント間にワイヤレスＬＡＮ（ＷＬＡＮ）を作成するための媒体アクセス制御（ＭＡＣ）および物理レイヤ（ＰＨＹ）の仕様に関する。
【発明の概要】
【発明が解決しようとする課題】
【０００４】
ＷＬＡＮの成長とともに、所望のパフォーマンスおよびスペクトル効率を達成するためにいくつかのタイプのＷＬＡＮインターフェースについて同じ送信中で信号を送信することが望ましいことがある。
【課題を解決するための手段】
【０００５】
ウェイクアップ無線（ＷＵＲ）動作のための狭帯域マルチチャネル送信のための機構を開示する。局（ＳＴＡ）は、それの１次接続無線（ＰＣＲ：primary connectivity radio）をオフにし、前にネゴシエートされたＷＵＲ動作パラメータに従ってそれのＷＵＲを動作させることができる。ＳＴＡは、第１のＷＵＲチャネルを介したＷＵＲビーコンとＷＵＲフレームとを監視する（モニターする：monitor）ことができる。ＳＴＡは、ＷＵＲが第１の持続時間（期間：duration）内にビーコンを正常に受信しないことに基づいてウェイクアップ理由を決定し、「ＷＵＲチャネルは、信頼できる送信をサポートすることができない」に設定することができる。ＳＴＡは、ＷＵＲをオフにし、ＰＣＲをオンにして、ウェイクアップ理由を含む第１のショートＷＵＲフレームに送り、ＷＵＲチャネル割当てをもつ第２のショートＷＵＲフレームを受信することができる。ＳＴＡは、ＰＣＲをオフにし、ＷＵＲをオンにし、ＷＵＲチャネル割当てと前にネゴシエートされたＷＵＲ動作パラメータとに従って第２のＷＵＲチャネル上のＷＵＲ信号について監視することができる。より詳細な理解は、添付の図面と併せて例として与えられる以下の説明から得ることができる。
【図面の簡単な説明】
【０００６】
【図１Ａ】１つ以上の実施形態が実装される例示的な通信システムの図である。
【図１Ｂ】一実施形態による、図１Ａに示す通信システム内で使用できる例示的なワイヤレス送信／受信ユニット（ＷＴＲＵ）を示すシステム図である。
【図１Ｃ】一実施形態による、図１Ａの通信システム内で使用できる例示的な無線アクセスネットワーク（ＲＡＮ）、コアネットワーク（ＣＮ）のシステム図である。
【図１Ｄ】一実施形態による、図１Ａの通信システム内で使用できるさらなる例示的なＲＡＮとさらなる例示的なＣＮとを示すシステム図である。
【図２】ＡＰとＷＵＲおよびＰＣＲを装備したＳＴＡとの間の例示的ウェイクアップ無線ネゴシエーション手順のシグナリング図である。
【図３Ａ】複数のＷＵＲチャネルをもつ例示的なビーコン／同期シグナリング手順３００Ａのシグナリング図である。
【図３Ｂ】複数のＷＵＲチャネルをもつ別の例示的ビーコン／同期シグナリング手順３００Ｂのシグナリング図である。
【図４】例示的なＷＵＲチャネル切替え手順のシグナリング図である。
【図５】例示的なＷＵＲチャネルホッピング手順のシグナリング図である。
【図６】別の例示的なＷＵＲチャネルホッピング手順のシグナリング図である。
【図７】別の例示的なＷＵＲチャネルホッピング手順のシグナリング図である。
【図８】１次チャネルをもつ例示的なＷＵＲ送信手順のシグナリング図である。
【図９】ショートＷＵＲアクションフレームを使用する、例示的ショートＷＵＲネゴシエーション手順のシグナリング図である。
【図１０Ａ】ＷＵＲ対応のＳＴＡの例示的な無線動作の遷移手順の状態図である。
【図１０Ｂ】ＷＵＲモードとトランジットモードの遷移間にＷＵＲ対応のＳＴＡで実行される例示的ＷＵＲチャネルパラメータ再ネゴシエーション手順のフロー図である。
【図１１】ＷＵＲ対応のＳＴＡのための例示的周波数割り当ての図である。
【発明を実施するための形態】
【０００７】
図１Ａは、１つまたは複数の開示する実施形態が実装されることができる例示的な通信システム１００を示す図である。通信システム１００は、複数のワイヤレスユーザに音声、データ、ビデオ、メッセージング、ブロードキャストなどのコンテンツを与える多元接続システムであることができる。通信システム１００は、ワイヤレス帯域幅を含むシステムリソースの共有を通してそのようなコンテンツに複数のワイヤレスユーザがアクセスすることを可能にすることができる。たとえば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワード離散フーリエ変換拡散ＯＦＤＭ（ＺＴ−ＵＷ−ＤＴＳ−Ｓ−ＯＦＤＭ：zero-tail unique-word discrete Fourier transform Spread OFDM）、ユニークワードＯＦＤＭ（ＵＷ−ＯＦＤＭ：unique word OFDM）、リソースブロックフィルタ処理済みＯＦＤＭ（resource block-filtered OFDM）、フィルタバンクマルチキャリア（ＦＢＭＣ：filter bank multicarrier）などの１つまたは複数のチャネルアクセス方法を採用することができる。
【０００８】
図１Ａに示すように、通信システム１００は、ワイヤレス／ワイヤード送信／受信ユニット（ＷＴＲＵ）１０２ａ、１０２ｂ、１０２ｃ、１０２ｄと、無線アクセスネットワーク（ＲＡＮ）１０４と、コアネットワーク（ＣＮ）１０６と、公衆交換電話網（ＰＳＴＮ）１０８と、インターネット１１０と、他のネットワーク１１２とを含むことができるが、開示する実施形態が、任意の数のＷＴＲＵ、基地局、ネットワーク、および／またはネットワーク要素を企図することが理解されよう。ＷＴＲＵ１０２ａ、１０２ｂ、１０２ｃ、１０２ｄの各々は、ワイヤレス環境において動作および／または通信するように構成された任意のタイプのデバイスであることができる。例として、いずれかが局（ＳＴＡ）と呼ばれることがあるＷＴＲＵ１０２ａ、１０２ｂ、１０２ｃ、１０２ｄは、ワイヤレス信号を送信および／または受信するように構成されることができ、ユーザ機器（ＵＥ）、移動局、固定またはモバイル加入者ユニット、サブスクリプションベースのユニット、ページャ、セルラー電話、携帯情報端末（ＰＤＡ）、スマートフォン、ラップトップ、ネットブック、パーソナルコンピュータ、ワイヤレスセンサ、ホットスポットまたはＭｉ−Ｆｉデバイス、モノのインターネット（ＩｏＴ）デバイス、ウォッチまたは他のウェアラブルなもの、ヘッドマウントディスプレイ（ＨＭＤ）、ビークル、ドローン、医療デバイスおよびアプリケーション（たとえば、遠隔手術）、産業用デバイスおよびアプリケーション（たとえば、産業および／または自動処理チェーンコンテキストで動作するロボットおよび／または他のワイヤレスデバイス）、家庭用電子機器デバイス、商用および／または産業用ワイヤレスネットワーク上で動作するデバイスなどを含むことができる。ＷＴＲＵ１０２ａ、１０２ｂ、１０２ｃおよび１０２ｄのいずれかは、互換的にＵＥと呼ばれることがある。
【０００９】
通信システム１００はまた、基地局１１４ａおよび／または基地局１１４ｂを含むことができる。基地局１１４ａ、１１４ｂの各々は、ＣＮ１０６、インターネット１１０、および／または他のネットワーク１１２などの１つまたは複数の通信ネットワークへのアクセスを容易にするためにＷＴＲＵ１０２ａ、１０２ｂ、１０２ｃ、１０２ｄのうちの少なくとも１つとワイヤレスにインターフェースするように構成された任意のタイプのデバイスであることができる。例として、基地局１１４ａ、１１４ｂは、送受信基地局（ＢＴＳ）、ノードＢ、ｅノードＢ（ｅＮＢ）、ホームノードＢ、ホームｅノードＢ、ｇノードＢ（ｇＮＢ）などの次世代ノードＢ、新無線（ＮＲ：new radio）ノードＢ、サイトコントローラ、アクセスポイント（ＡＰ）、ワイヤレスルータなどであることができる。基地局１１４ａ、１１４ｂがそれぞれ単一の要素として示されているが、基地局１１４ａ、１１４ｂが任意の数の相互接続された基地局および／またはネットワーク要素を含むことができることが理解されよう。
【００１０】
基地局１１４ａは、他の基地局および／または基地局コントローラ（ＢＳＣ）、無線ネットワークコントローラ（ＲＮＣ）、リレーノードなどのネットワーク要素（図示せず）をも含むことができるＲＡＮ１０４の一部であることができる。基地局１１４ａおよび／または基地局１１４ｂは、セル（図示せず）と呼ばれることがある１つまたは複数のキャリア周波数上でワイヤレス信号を送信および／または受信するように構成されることができる。これらの周波数は、認可スペクトル、無認可スペクトル、または認可スペクトルと無認可スペクトルとの組合せ中にあることができる。セルは、比較的固定されることができるか、または時間とともに変化することができる特定の地理的エリアにワイヤレスサービスのためのカバレージを与えることができる。セルは、セルセクタにさらに分割されることができる。たとえば、基地局１１４ａに関連するセルは、３つのセクタに分割されることができる。したがって、一実施形態では、基地局１１４ａは、３つの送受信機、すなわち、セルのセクタごとに１つを含むことができる。一実施形態では、基地局１１４ａは、多入力多出力（ＭＩＭＯ）技術を採用することができ、セルのセクタごとに複数の送受信機を利用することができる。たとえば、所望の空間的方向で信号を送信および／または受信するために、ビームフォーミングが使用されることができる。
【００１１】
基地局１１４ａ、１１４ｂは、任意の好適なワイヤレス通信リンク（たとえば、無線周波数（ＲＦ）、マイクロ波、センチメートル波、マイクロメートル波、赤外線（ＩＲ）、紫外線（ＵＶ）、可視光など）であることができるエアインターフェース１１６を介してＷＴＲＵ１０２ａ、１０２ｂ、１０２ｃ、１０２ｄのうちの１つまたは複数と通信することができる。エアインターフェース１１６は、任意の好適な無線アクセス技術（ＲＡＴ）を使用して確立されることができる。
【００１２】
より詳細には、上記のように、通信システム１００は、多元接続システムであることができ、ＣＤＭＡ、ＴＤＭＡ、ＦＤＭＡ、ＯＦＤＭＡ、ＳＣ−ＦＤＭＡなどの１つまたは複数のチャネルアクセス方式を採用することができる。たとえば、ＲＡＮ１０４中の基地局１１４ａおよびＷＴＲＵ１０２ａ、１０２ｂ、１０２ｃは、広帯域ＣＤＭＡ（ＷＣＤＭＡ）を使用してエアインターフェース１１６を確立することができるユニバーサル移動体（電話）通信システム（ＵＭＴＳ）地上波無線アクセス（ＵＴＲＡ）などの無線技術を実装することができる。ＷＣＤＭＡは、高速パケットアクセス（ＨＳＰＡ）および／または発展型ＨＳＰＡ（ＨＳＰＡ＋）などの通信プロトコルを含むことができる。ＨＳＰＡは、高速ダウンリンク（ＤＬ）パケットアクセス（ＨＳＤＰＡ）および／または高速アップリンク（ＵＬ）パケットアクセス（ＨＳＵＰＡ）を含むことができる。
【００１３】
一実施形態では、基地局１１４ａおよびＷＴＲＵ１０２ａ、１０２ｂ、１０２ｃは、ロングタームエボリューション（ＬＴＥ）および／またはＬＴＥアドバンスト（ＬＴＥ−Ａ）および／またはＬＴＥアドバンストプロ（ＬＴＥ−Ａ  Ｐｒｏ）を使用してエアインターフェース１１６を確立することができる発展型ＵＭＴＳ地上波無線アクセス（Ｅ−ＵＴＲＡ）などの無線技術を実装することができる。
【００１４】
一実施形態では、基地局１１４ａおよびＷＴＲＵ１０２ａ、１０２ｂ、１０２ｃは、ＮＲを使用してエアインターフェース１１６を確立することができるＮＲ無線アクセスなどの無線技術を実装することができる。
【００１５】
一実施形態では、基地局１１４ａおよびＷＴＲＵ１０２ａ、１０２ｂ、１０２ｃは、複数の無線アクセス技術を実装することができる。たとえば、基地局１１４ａおよびＷＴＲＵ１０２ａ、１０２ｂ、１０２ｃは、たとえば、デュアル接続性（ＤＣ）原理を使用してＬＴＥ無線アクセスとＮＲ無線アクセスとを一緒に実装することができる。したがって、ＷＴＲＵ１０２ａ、１０２ｂ、１０２ｃによって利用されるエアインターフェースは、複数のタイプの無線アクセス技術および／または複数のタイプの基地局（たとえば、ｅＮＢおよびｇＮＢ）との間で送られる送信によって特徴づけられることができる。
【００１６】
他の実施形態では、基地局１１４ａおよびＷＴＲＵ１０２ａ、１０２ｂ、１０２ｃは、ＩＥＥＥ８０２．１１（すなわち、ワイヤレスフィデリティー（ＷｉＦｉ）、ＩＥＥＥ８０２．１６（すなわち、ワールドワイドインターオペラビリティフォーマイクロウェーブアクセス（ＷｉＭＡＸ））、ＣＤＭＡ２０００、ＣＤＭＡ２０００  １Ｘ、ＣＤＭＡ２０００ＥＶ−ＤＯ、Ｉｎｔｅｒｉｍ  Ｓｔａｎｄａｒｄ２０００（ＩＳ−２０００）、Ｉｎｔｅｒｉｍ  Ｓｔａｎｄａｒｄ９５（ＩＳ−９５）、Ｉｎｔｅｒｉｍ  Ｓｔａｎｄａｒｄ８５６（ＩＳ−８５６）、グローバルシステムフォーモバイルコミュニケーションズ（ＧＳＭ）、ＧＳＭ進化型高速データレート（ＥＤＧＥ）、ＧＳＭ  ＥＤＧＥ（ＧＥＲＡＮ）などの無線技術を実装することができる。
【００１７】
図１Ａ中の基地局１１４ｂは、たとえば、ワイヤレスルータ、ホームノードＢ、ホームｅノードＢ、またはアクセスポイントであることができ、職場、家庭、ビークル、構内、産業設備、（たとえば、ドローンが使用するための）空中回廊、道路などの局所的エリアでのワイヤレス接続性を容易にすることのために任意の好適なＲＡＴを利用することができる。一実施形態では、基地局１１４ｂおよびＷＴＲＵ１０２ｃ、１０２ｄは、ワイヤレスローカルエリアネットワーク（ＷＬＡＮ）を確立するためにＩＥＥＥ８０２．１１などの無線技術を実装することができる。一実施形態では、基地局１１４ｂおよびＷＴＲＵ１０２ｃ、１０２ｄは、ワイヤレスパーソナルエリアネットワーク（ＷＰＡＮ）を確立するためにＩＥＥＥ８０２．１５などの無線技術を実装することができる。また別の実施形態では、基地局１１４ｂおよびＷＴＲＵ１０２ｃ、１０２ｄは、ピコセルまたはフェムトセルを確立するためにセルラーベースのＲＡＴ（たとえば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用することができる。図１Ａに示すように、基地局１１４ｂは、インターネット１１０への直接接続を有することができる。したがって、基地局１１４ｂは、ＣＮ１０６を介してインターネット１１０にアクセスする必要がないことがある。
【００１８】
ＲＡＮ１０４は、ＷＴＲＵ１０２ａ、１０２ｂ、１０２ｃ、１０２ｄのうちの１つまたは複数に音声、データ、アプリケーション、および／またはボイスオーバーインターネットプロトコル（ＶｏＩＰ）サービスを与えるように構成された任意のタイプのネットワークであることができるＣＮ１０６と通信していることがある。データは、異なるスループット要件、レイテンシ要件、誤り耐性要件、信頼性要件、データスループット要件、モビリティ要件などの変動するサービス品質（ＱｏＳ）要件を有することができる。ＣＮ１０６は、呼の制御、課金サービス、モバイルロケーションベースのサービス、プリペイド発呼、インターネット接続性、ビデオ配信などを与え、および／またはユーザ認証などの高レベルなセキュリティ関数を実行することができる。図１Ａには示されていないが、ＲＡＮ１０４および／またはＣＮ１０６が、ＲＡＮ１０４と同じＲＡＴまたは異なるＲＡＴを採用する他のＲＡＮと直接的または間接的に通信していることがあることが理解されよう。たとえば、ＮＲ無線技術を利用していることがあるＲＡＮ１０４に接続されることに加えて、ＣＮ１０６はまた、ＧＳＭ、ＵＭＴＳ、ＣＤＭＡ２０００、ＷｉＭＡＸ、Ｅ−ＵＴＲＡ、またはＷｉＦｉ無線技術を採用する別のＲＡＮ（図示せず）と通信していることがある。
【００１９】
ＣＮ１０６はまた、ＰＳＴＮ１０８、インターネット１１０、および／または他のネットワーク１１２にアクセスするためにＷＴＲＵ１０２ａ、１０２ｂ、１０２ｃ、１０２ｄのためのゲートウェイとして働くことができる。ＰＳＴＮ１０８は、簡易電話サービス（ＰＯＴＳ）を与える回線交換電話網を含むことができる。インターネット１１０は、ＴＣＰ／ＩＰインターネットプロトコルスイート中で伝送制御プロトコル（ＴＣＰ）、ユーザデータグラムプロトコル（ＵＤＰ）および／またはインターネットプロトコル（ＩＰ）などの共通の通信プロトコルを使用する相互接続されたコンピュータネットワークおよびデバイスのグローバルシステムを含むことができる。ネットワーク１１２は、他のサービスプロバイダによって所有および／または動作されるワイヤードおよび／またはワイヤレス通信ネットワークを含むことができる。たとえば、ネットワーク１１２は、ＲＡＮ１０４と同じＲＡＴまたは異なるＲＡＴを採用することができる１つまたは複数のＲＡＮに接続された別のＣＮを含むことができる。
【００２０】
通信システム１００中でＷＴＲＵ１０２ａ、１０２ｂ、１０２ｃ、１０２ｄの一部または全部は、マルチモード能力を含むことができる（たとえば、ＷＴＲＵ１０２ａ、１０２ｂ、１０２ｃ、１０２ｄは、異なるワイヤレスリンクを介して異なるワイヤレスネットワークと通信するための複数の送受信機を含むことができる）。たとえば、図１Ａに示すＷＴＲＵ１０２ｃは、セルラーベースの無線技術を採用することができる基地局１１４ａと通信し、ＩＥＥＥ８０２無線技術を採用することができる基地局１１４ｂと通信するように構成されることができる。
【００２１】
図１Ｂは、例示的なＷＴＲＵ１０２を示すシステム図である。図１Ｂに示すように、ＷＴＲＵ１０２は、特に、プロセッサ１１８、送受信機１２０、送信／受信要素１２２、スピーカ／マイクロフォン１２４、キーパッド１２６、ディスプレイ／タッチパッド１２８、取外し不能メモリ１３０、取外し可能メモリ１３２、電源１３４、全地球測位システム（ＧＰＳ）チップセット１３６、および／または他の周辺機器１３８を含むことができる。ＷＴＲＵ１０２が、実施形態に一致したままでありながら、上記の要素の任意の部分組合せを含むことができることが理解されよう。
【００２２】
プロセッサ１１８は、汎用プロセッサ、専用プロセッサ、従来のプロセッサ、デジタル信号プロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）、任意の他のタイプの集積回路（ＩＣ）、状態機械などであることができる。プロセッサ１１８は、信号符号化、データ処理、電力制御、入出力処理、および／またはＷＴＲＵ１０２がワイヤレス環境において動作することを可能にする任意の他の機能を実行することができる。プロセッサ１１８は、送信／受信要素１２２に結合されることができる送受信機１２０に結合されることができる。図１Ｂに、別個の構成要素としてプロセッサ１１８と送受信機１２０とを示しているが、プロセッサ１１８と送受信機１２０とが電子パッケージまたはチップ中で一緒に統合されることができることが理解されよう。
【００２３】
送信／受信要素１２２は、エアインターフェース１１６を介して基地局（たとえば、基地局１１４ａ）に信号を送信し、それから信号を受信するように構成されることができる。たとえば、一実施形態では、送信／受信要素１２２は、ＲＦ信号を送信および／または受信するように構成されたアンテナであることができる。一実施形態では、送信／受信要素１２２は、たとえば、ＩＲ、ＵＶ、もしくは可視光信号を送信および／または受信するように構成されたエミッタ／検出器であることができる。また別の実施形態では、送信／受信要素１２２は、ＲＦ信号と光信号との両方を送信および／または受信するように構成されることができる。送信／受信要素１２２が、ワイヤレス信号の任意の組合せを送信および／または受信するように構成されることができることが理解されよう。
【００２４】
送信／受信要素１２２が単一の要素として図１Ｂに示されているが、ＷＴＲＵ１０２は任意の数の送信／受信要素１２２を含むことができる。より詳細には、ＷＴＲＵ１０２は、ＭＩＭＯ技術を採用することができる。したがって、一実施形態では、ＷＴＲＵ１０２は、エアインターフェース１１６を介してワイヤレス信号を送信および受信するための２つ以上の送信／受信要素１２２（たとえば、複数のアンテナ）を含むことができる。
【００２５】
送受信機１２０は、送信／受信要素１２２によって送信されるべきである信号を変調し、送信／受信要素１２２によって受信された信号を復調するように構成されることができる。上記のように、ＷＴＲＵ１０２は、マルチモード能力を有することができる。したがって送受信機１２０は、ＷＴＲＵ１０２が、たとえば、ＮＲおよびＩＥＥＥ８０２．１１などの複数のＲＡＴを介して通信することを可能にするための複数の送受信機を含むことができる。
【００２６】
ＷＴＲＵ１０２のプロセッサ１１８は、スピーカ／マイクロフォン１２４、キーパッド１２６、および／またはディスプレイ／タッチパッド１２８（たとえば、液晶ディスプレイ（ＬＣＤ）ディスプレイユニットまたは有機発光ダイオード（ＯＬＥＤ）ディスプレイユニット）に結合されることができ、それらからユーザ入力データを受信することができる。プロセッサ１１８はまた、スピーカ／マイクロフォン１２４、キーパッド１２６、および／またはディスプレイ／タッチパッド１２８にユーザデータを出力することができる。さらに、プロセッサ１１８は、取外し不能メモリ１３０および／または取外し可能メモリ１３２などの任意のタイプの好適なメモリから情報にアクセスし、それの中にデータを記憶することができる。取外し不能メモリ１３０は、ランダムアクセスメモリ（ＲＡＭ）、読取り専用メモリ（ＲＯＭ）、ハードディスク、または任意の他のタイプのメモリストレージデバイスを含むことができる。取外し可能メモリ１３２は、加入者識別モジュール（ＳＩＭ）カード、メモリスティック、セキュアデジタル（ＳＤ）メモリカードなどを含むことができる。他の実施形態では、プロセッサ１１８は、サーバまたはホームコンピュータ（図示せず）上など、ＷＴＲＵ１０２上に物理的に位置しないメモリからの情報にアクセスし、その中にデータを記憶することができる。
【００２７】
プロセッサ１１８は、電源１３４から電力を受電することができ、ＷＴＲＵ１０２中の他の構成要素に電力を分散および／または制御するように構成されることができる。電源１３４は、ＷＴＲＵ１０２に電力供給するための任意の好適なデバイスであることができる。たとえば、電源１３４は、１つまたは複数の乾電池バッテリ（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことができる。
【００２８】
プロセッサ１１８はまた、ＷＴＲＵ１０２の現在のロケーションに関するロケーション情報（たとえば、経度および緯度）を与えるように構成されることができるＧＰＳチップセット１３６に結合されることができる。ＧＰＳチップセット１３６からの情報に加えて、または、それの代わりに、ＷＴＲＵ１０２は、基地局（たとえば、基地局１１４ａ、１１４ｂ）からエアインターフェース１１６を介してロケーション情報を受信し、および／または２つ以上の近くの基地局から受信している信号のタイミングに基づいてそれのロケーションを決定することができる。ＷＴＲＵ１０２が、実施形態に一致したままでありながら、任意の好適なロケーション決定方法によってロケーション情報を捕捉することができることが理解されよう。
【００２９】
プロセッサ１１８は、追加の特徴、機能および／またはワイヤードもしくはワイヤレス接続性を与える１つまたは複数のソフトウェアおよび／またはハードウェアモジュールを含むことができる他の周辺機器１３８にさらに結合されることができる。たとえば、周辺機器１３８は、加速度計、ｅコンパス、衛星送受信機、（写真および／またはビデオのための）デジタルカメラ、ユニバーサルシリアルバス（ＵＳＢ）ポート、振動デバイス、テレビジョン送受信機、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザ、バーチャルリアリティおよび／または拡張現実（ＶＲ／ＡＲ）デバイス、アクティビティトラッカなどを含むことができる。周辺装置１３８は、１つまたは複数のセンサを含むことができる。センサは、ジャイロスコープ、加速度計、ホール効果センサ、磁力計、向きセンサ、近接センサ、温度センサ、時間センサ、ジオロケーションセンサ、高度計、光センサ、タッチセンサ、磁力計、気圧計、ジェスチャセンサ、生体センサ、湿度センサなどのうちの１つまたは複数であることができる。
【００３０】
ＷＴＲＵ１０２は、（（たとえば、送信のための）ＵＬと（たとえば、受信のための）ＤＬとの両方のための特定のサブフレームに関連する）信号の一部または全部の送信および受信が並列および／または同時であることができる全二重無線を含むことができる。全二重無線は、ハードウェア（たとえば、チョーク）またはプロセッサ（たとえば、別個のプロセッサ（図示せず）またはプロセッサ１１８）を介した信号処理のいずれかを介して自己干渉を小さくするおよび／または実質的になくすために干渉管理ユニットを含むことができる。一実施形態では、ＷＴＲＵ１０２は、フイッチ（（たとえば送信のための）ＵＬまたは（たとえば受信のための）ＤＬのいずれかのための特定のサブフレームに関連する）信号の一部または全部の送信および受信のための半二重無線を含むことができる。
【００３１】
図１Ｃは、一実施形態による、ＲＡＮ１０４およびＣＮ１０６を示すシステム図である。上記のように、ＲＡＮ１０４は、エアインターフェース１１６を介してＷＴＲＵ１０２ａ、１０２ｂ、１０２ｃと通信するためにＥ−ＵＴＲＡ無線技術を採用することができる。ＲＡＮ１０４はまた、ＣＮ１０６と通信していることがある。
【００３２】
ＲＡＮ１０４は、ｅノードＢ１６０ａ、１６０ｂ、１６０ｃを含むことができるが、ＲＡＮ１０４が、実施形態に一致したままでありながら、任意の数のｅノードＢを含むことができることが理解されよう。ｅノードＢ１６０ａ、１６０ｂ、１６０ｃはそれぞれ、エアインターフェース１１６を介してＷＴＲＵ１０２ａ、１０２ｂ、１０２ｃと通信するための１つまたは複数の送受信機を含むことができる。一実施形態では、ｅノードＢ１６０ａ、１６０ｂ、１６０ｃは、ＭＩＭＯ技術を実装することができる。したがって、ｅノードＢ１６０ａは、たとえば、ＷＴＲＵ１０２ａにワイヤレス信号を送信するおよび／またはそれからワイヤレス信号を受信するために複数のアンテナを使用することができる。
【００３３】
ｅノードＢ１６０ａ、１６０ｂ、１６０ｃの各々は、特定のセル（図示せず）に関連付けられることができ、無線リソース管理決定、ハンドオーバ決定、ＵＬおよび／またはＤＬにおけるユーザのスケジューリングなどを扱うように構成されることができる。図１Ｃに示すように、ｅノードＢ１６０ａ、１６０ｂ、１６０ｃは、Ｘ２インターフェースを介して互いと通信することができる。
【００３４】
図１Ｃに示すＣＮ１０６は、モビリティ管理エンティティ（ＭＭＥ）１６２と、サービングゲートウェイ（ＳＧＷ）１６４と、パケットデータネットワーク（ＰＤＮ）ゲートウェイ（ＰＧＷ）１６６とを含むことができる。上記の要素がＣＮ１０６の一部として示されているが、これらの要素のいずれかがＣＮオペレータ以外のエンティティによって所有および／または動作されることができることが理解されよう。
【００３５】
ＭＭＥ１６２は、Ｓ１インターフェースを介してＲＡＮ１０４中のｅノードＢ１６２ａ、１６２ｂ、１６２ｃの各々に接続されることができ、制御ノードとして働くことができる。たとえば、ＭＭＥ１６２は、ＷＴＲＵ１０２ａ、１０２ｂ、１０２ｃのユーザを認証すること、ベアラのアクティブ化／非アクティブ化、ＷＴＲＵ１０２ａ、１０２ｂ、１０２ｃの初期アタッチ（initial attach）中に特定のサービングゲートウェイを選択することなどを担当することができる。ＭＭＥ１６２は、ＲＡＮ１０４とＧＳＭおよび／またはＷＣＤＭＡなどの他の無線技術を採用する他のＲＡＮ（図示せず）との間で切り替えるための制御プレーン機能を与ることができる。
【００３６】
ＳＧＷ１６４は、Ｓ１インターフェースを介してＲＡＮ１０４中のｅノードＢ１６０ａ、１６０ｂ、１６０ｃの各々に接続されることができる。ＳＧＷ１６４は、概して、ＷＴＲＵ１０２ａ、１０２ｂ、１０２ｃとの間でユーザデータパケットをルーティングおよび転送することができる。ＳＧＷ１６４は、ｅノードＢ間のハンドオーバ中にユーザプレーンをアンカリングすること、ＤＬデータがＷＴＲＵ１０２ａ、１０２ｂ、１０２ｃのために利用可能であるときにページングをトリガすること、ＷＴＲＵ１０２ａ、１０２ｂ、１０２ｃのコンテキストを管理および記憶することなどの他の機能を実行できる。
【００３７】
ＳＧＷ１６４は、ＷＴＲＵ１０２ａ、１０２ｂ、１０２ｃとＩＰ対応デバイスとの間の通信を容易にするためにインターネット１１０などのパケット交換ネットワークへのアクセスをＷＴＲＵ１０２ａ、１０２ｂ、１０２ｃに与えることができるＰＧＷ１６６に接続されることができる。
【００３８】
ＣＮ１０６は、他のネットワークとの通信を容易にすることができる。たとえば、ＣＮ１０６は、ＷＴＲＵ１０２ａ、１０２ｂ、１０２ｃと従来の固定通信デバイスとの間の通信を容易にするためにＰＳＴＮ１０８などの回線交換ネットワークへのアクセスをＷＴＲＵ１０２ａ、１０２ｂ、１０２ｃに与えることができる。たとえば、ＣＮ１０６は、ＣＮ１０６とＰＳＴＮ１０８との間のインターフェースとして働くＩＰゲートウェイ（たとえば、ＩＰマルチメディアサブシステム（ＩＭＳ）サーバ）を含むことができるかまたはそれと通信することができる。さらに、ＣＮ１０６は、他のサービスプロバイダによって所有および／もしくは動作される他のワイヤードならびに／またはワイヤレスネットワークを含むことができる他のネットワーク１１２へのアクセスをＷＴＲＵ１０２ａ、１０２ｂ、１０２ｃに与えることができる。
【００３９】
ＷＴＲＵがワイヤレス端末として図１Ａ〜図１Ｄに記載されているが、そのような端末が（たとえば、一時的にまたは永続的に）使用することができるいくつかの代表的な実施形態では、ワイヤード通信が通信ネットワークとインターフェースすると考えられる。
【００４０】
代表的な実施形態では、他のネットワーク１１２は、ＷＬＡＮであることができる。
【００４１】
インフラストラクチャ基本サービスセット（ＢＳＳ）モードのＷＬＡＮは、ＢＳＳのためのアクセスポイント（ＡＰ）とＡＰに関連する１つまたは複数の局（ＳＴＡ）とを有することができる。ＡＰは、配信システム（ＤＳ）またはＢＳＳを出入りするトラフィックを搬送する別のタイプのワイヤード／ワイヤレスネットワークへのアクセスまたはインターフェースを有することができる。ＢＳＳの外部から発信するＳＴＡへのトラフィックは、ＡＰを通して到着することができ、ＳＴＡに送出されることができる。ＢＳＳ外の宛先にＳＴＡから発信されたトラフィックは、それぞれの宛先に配信されるためにＡＰに送られることができる。ＢＳＳ内のＳＴＡ間のトラフィックは、ＡＰを通して送られることがあり、たとえば、ここで、ソースＳＴＡはＡＰにトラフィックを送ることができ、ＡＰは、宛先ＳＴＡにトラフィックを送出することができる。ＢＳＳ内のＳＴＡ間のトラフィックは、ピアツーピアトラフィックと見なされるおよび／またはそう呼ばれることがある。ピアツーピアトラフィックは、ダイレクトリンクセットアップ（ＤＬＳ）を用いてソースＳＴＡと宛先ＳＴＡとの間で（たとえば、それらの間で直接）送られることができる。いくつかの代表的な実施形態では、ＤＬＳは、８０２．１１ｅ  ＤＬＳまたは８０２．１１ｚトンネリングされたＤＬＳ（ＴＤＬＳ：tunneled DLS）を使用することができる。独立ＢＳＳ（ＩＢＳＳ）モードを使用するＷＬＡＮはＡＰを有しないことがあり、ＩＢＳＳ内のまたはそれを使用するＳＴＡ（たとえば、ＳＴＡのすべて）は互いに直接通信することができる。ＩＢＳＳ通信モードは、時々、本明細書では「アドホック」通信モードと呼ぶことがある。
【００４２】
８０２．１１ａｃインフラストラクチャ動作モードまたは同様の動作モードを使用するとき、ＡＰは、１次チャネルなどの固定チャネル上でビーコンを送信することができる。１次チャネルは、固定幅（たとえば、２０ＭＨｚの幅の帯域幅）であるか、またはシグナリングを介して動的に設定された幅であることができる。１次チャネルは、ＢＳＳの動作チャネルであることができ、ＡＰとの接続を確立するためにＳＴＡによって使用されることができる。いくつかの代表的な実施形態では、キャリア検知多重アクセス／衝突回避（ＣＳＭＡ／ＣＡ）が、たとえば８０２．１１システム中に実装されることができる。ＣＳＭＡ／ＣＡでは、ＡＰを含むＳＴＡ（たとえば、あらゆるＳＴＡ）が１次チャネルを感知することができる。１次チャネルが特定のＳＴＡによって感知／検出されるおよび／またはビジーであると決定される場合、特定のＳＴＡはバックオフすることができる。１つのＳＴＡ（たとえば、ただ１つの局）が、所与のＢＳＳ中で任意の所与の時間に送信することができる。
【００４３】
高スループット（ＨＴ）のＳＴＡは、４０ＭＨｚの幅のチャネルを形成するために、たとえば、隣接するまたは隣接していない２０ＭＨｚのチャネルとの１次の２０ＭＨｚのチャネルの組合せを介した通信のために４０ＭＨｚの幅のチャネルを使用できる。
【００４４】
極高スループット（ＶＨＴ）のＳＴＡは、２０ＭＨｚ、４０ＭＨｚ、８０ＭＨｚ、および／または１６０ＭＨｚ幅のチャネルをサポートできる。４０ＭＨｚおよび／または８０ＭＨｚのチャネルは、連続する２０ＭＨｚのチャネルを組み合わせることによって形成されることができる。１６０ＭＨｚのチャネルは、８つの連続する２０ＭＨｚのチャネルを組み合わせることによって、または８０＋８０構成と呼ばれることがある２つの不連続の８０ＭＨｚのチャネルを組み合わせることによって形成されることができる。８０＋８０構成では、データは、チャネルエンコード後に、２つのストリームにデータを分割することができるセグメントパーサを通してパスされることができる。逆高速フーリエ変換（ＩＦＦＴ）処理と時間領域処理とが別々に各ストリームに対して行われることができる。ストリームは、２つの８０ＭＨｚのチャネル上にマッピングされることができ、データは、送信ＳＴＡによって送信されることができる。受信ＳＴＡの受信機では、８０＋８０構成について上記で説明した動作が逆行されることができ、組み合わされたデータが媒体アクセス制御（ＭＡＣ）に送られることができる。
【００４５】
８０２．１１ａｆおよび８０２．１１ａｈによってサブ１ＧＨｚ動作モードがサポートされる。チャネル動作帯域幅およびキャリアは、８０２．１１ｎおよび８０２．１１ａｃで使用されるものと比較して８０２．１１ａｆおよび８０２．１１ａｈでは低減される。８０２．１１ａｆは、ＴＶホワイトスペース（ＴＶＷＳ）スペクトル中の５ＭＨｚ、１０ＭＨｚ、および２０ＭＨｚの帯域幅をサポートし、８０２．１１ａｈは、非ＴＶＷＳスペクトルを使用して１ＭＨｚ、２ＭＨｚ、４ＭＨｚ、８ＭＨｚ、および１６ＭＨｚの帯域幅をサポートする。代表的な実施形態によれば、８０２．１１ａｈは、マクロカバレージエリア中のメータ型制御／マシン型通信（ＭＴＣ）デバイスなどのＭＴＣをサポートすることができる。ＭＴＣデバイスは、いくつかの能力、たとえば、いくつかのおよび／または限定された帯域幅のサポート（たとえば、それだけのサポート）を含む限定された能力を有することができる。ＭＴＣデバイスは、（たとえば、非常に長いバッテリ寿命を維持するために）閾値を上回るバッテリ寿命をもつバッテリを含むことができる。
【００４６】
８０２．１１ｎ、８０２．１１ａｃ、８０２．１１ａｆ、および８０２．１１ａｈなどの複数のチャネルおよびチャネル帯域幅をサポートすることができるＷＬＡＮシステムは、１次チャネルとして指定されることができるチャネルを含む。１次チャネルは、ＢＳＳ中のすべてのＳＴＡによってサポートされる最大の共通動作帯域幅に等しい帯域幅を有することができる。１次チャネルの帯域幅は、ＢＳＳ中で動作するすべてのＳＴＡの中から、最小の帯域幅動作モードをサポートするＳＴＡによって設定および／または限定されることができる。８０２．１１ａｈの例では、ＡＰおよびＢＳＳ中の他のＳＴＡが、２ＭＨｚ、４ＭＨｚ、８ＭＨｚ、１６ＭＨｚ、および／または他のチャネル帯域幅動作モードをサポートする場合でも、１次チャネルは、１ＭＨｚモードをサポートする（たとえば、それだけをサポートする）ＳＴＡ（たとえば、ＭＴＣタイプのデバイス）について１ＭＨｚの幅であることができる。キャリア検知および／またはネットワーク割り当てベクトル（ＮＡＶ）の設定は、１次チャネルのステータスに依存することができる。たとえば（１ＭＨｚ動作モードだけをサポートする）ＳＴＡのために１次チャネルがビジーである場合、利用可能な周波数帯域の大部分がアイドルのままであっても、ＡＰに利用可能な周波数帯域全体を送信することがビジーであると見なされることができる。
【００４７】
米国では、８０２．１１ａｈによって使用されることができる利用可能な周波数帯域は、９０２ＭＨｚから９２８ＭＨｚまである。韓国では、利用可能な周波数帯域は、９１７．５ＭＨｚから９２３．５ＭＨｚまである。日本では、利用可能な周波数帯域は、９１６．５ＭＨｚから９２７．５ＭＨｚまである。８０２．１１ａｈのために利用可能な総帯域幅は、国コードに応じて６ＭＨｚから２６ＭＨｚである。
【００４８】
図１Ｄは、一実施形態による、ＲＡＮ１０４およびＣＮ１０６を示すシステム図である。上記のように、ＲＡＮ１０４は、エアインターフェース１１６を介してＷＴＲＵ１０２ａ、１０２ｂ、１０２ｃと通信するためにＮＲ無線技術を採用することができる。ＲＡＮ１０４はまた、ＣＮ１０６と通信することができる。
【００４９】
ＲＡＮ１０４は、ｇＮＢ１８０ａ、１８０ｂ、１８０ｃを含むことができるが、ＲＡＮ１０４が、実施形態に一致したままでありながら、任意の数のｇＮＢを含むことができることが理解されよう。ｇＮＢ１８０ａ、１８０ｂ、１８０ｃはそれぞれ、エアインターフェース１１６を介してＷＴＲＵ１０２ａ、１０２ｂ、１０２ｃと通信するための１つまたは複数の送受信機を含むことができる。一実施形態では、ｇＮＢ１８０ａ、１８０ｂ、１８０ｃは、ＭＩＭＯ技術を実装することができる。たとえば、ｇＮＢ１８０ａ、１０８ｂは、ｇＮＢ１８０ａ、１８０ｂ、１８０ｃに信号を送信し、および／またはそれから信号を受信するためにビームフォーミングを利用することができる。したがって、ｇＮＢ１８０ａは、たとえば、ＷＴＲＵ１０２ａにワイヤレス信号を送信し、および／またはそれからワイヤレス信号を受信するために複数のアンテナを使用することができる。一実施形態では、ｇＮＢ１８０ａ、１８０ｂ、１８０ｃは、キャリアアグリゲーション技術を実装することができる。たとえば、ｇＮＢ１８０ａは、ＷＴＲＵ１０２ａ（図示せず）に複数コンポーネントキャリアを送信することができる。これらのコンポーネントキャリアのサブセットは、無認可スペクトル上にあることができるが、残りのコンポーネントキャリアは、認可スペクトル上にあることができる。一実施形態では、ｇＮＢ１８０ａ、１８０ｂ、１８０ｃは、協調マルチポイント（ＣｏＭＰ）技術を実装することができる。たとえば、ＷＴＲＵ１０２ａは、ｇＮＢ１８０ａおよびｇＮＢ１８０ｂ（および／またはｇＮＢ１８０ｃ）から協調送信を受信することができる。
【００５０】
ＷＴＲＵ１０２ａ、１０２ｂ、１０２ｃは、スケーラブルな数秘学に関連する送信を使用してｇＮＢ１８０ａ、１８０ｂ、１８０ｃと通信することができる。例えば、ＯＦＤＭシンボル間隔および／またはＯＦＤＭサブキャリア間隔は、異なる送信、異なるセル、および／またはワイヤレス送信スペクトルの異なる部分ごとに変動することができる。ＷＴＲＵ１０２ａ、１０２ｂ、１０２ｃは、（例えば、様々な数のＯＦＤＭシンボルを含んでいるおよび／または変動する長さの絶対時間の間続く）様々なまたはスケーラブルな長さのサブフレームまたは送信時間間隔（ＴＴＩ）を使用してｇＮＢ１８０ａ、１８０ｂ、１８０ｃと通信することができる。
【００５１】
ｇＮＢ１８０ａ、１８０ｂ、１８０ｃは、スタンドアロン構成および／または非スタンドアロン構成中のＷＴＲＵ１０２ａ、１０２ｂ、１０２ｃと通信するように構成されることができる。スタンドアロン構成では、ＷＴＲＵ１０２ａ、１０２ｂ、１０２ｃは、他のＲＡＮ（たとえば、ｅノードＢ１６０ａ、１６０ｂ、１６０ｃなど）にアクセスすることもなしにｇＮＢ１８０ａ、１８０ｂ、１８０ｃと通信することができる。スタンドアロン構成では、ＷＴＲＵ１０２ａ、１０２ｂ、１０２ｃは、モビリティアンカーポイントとしてｇＮＢ１８０ａ、１８０ｂ、１８０ｃのうちの１つまたは複数を利用することができる。スタンドアロン構成では、ＷＴＲＵ１０２ａ、１０２ｂ、１０２ｃは、無認可帯域中の信号を使用してｇＮＢ１８０ａ、１８０ｂ、１８０ｃと通信することができる。非スタンドアロン構成では、ＷＴＲＵ１０２ａ、１０２ｂ、１０２ｃは、ｅノードＢ１６０ａ、１６０ｂ、１６０ｃなどの別のＲＡＮとも通信しながら／それにも接続しながらｇＮＢ１８０ａ、１８０ｂ、１８０ｃと通信することができる／それに接続することができる。たとえば、ＷＴＲＵ１０２ａ、１０２ｂ、１０２ｃは、１つまたは複数のｇＮＢ１８０ａ、１８０ｂ、１８０ｃおよび１つまたは複数のｅノードＢ１６０ａ、１６０ｂ、１６０ｃと実質的に同時に通信するためにＤＣ原理を実装することができる。非スタンドアロン構成では、ｅノードＢ１６０ａ、１６０ｂ、１６０ｃは、ＷＴＲＵ１０２ａ、１０２ｂ、１０２ｃのためのモビリティアンカーとして働くことができ、ｇＮＢ１８０ａ、１８０ｂ、１８０ｃは、ＷＴＲＵ１０２ａ、１０２ｂ、１０２ｃをサービスするための追加のカバレージおよび／またはスループットを与えることができる。
【００５２】
ｇＮＢ１８０ａ、１８０ｂ、１８０ｃの各々は、特定のセル（図示せず）に関連付けられることができ、無線リソース管理の決定、ハンドオーバの決定、ＵＬおよび／またはＤＬにおけるユーザのスケジューリング、ネットワークスライシングのサポート、ＤＣ、ＮＲとＥ−ＵＴＲＡとの間の相互接続、ユーザプレーン機能（ＵＰＦ）１８４ａ、１８４ｂに向けたユーザプレーンデータのルーティング、アクセスおよびモビリティ管理機能（ＡＭＦ）１８２ａ、１８２ｂに向けた制御プレーン情報のルーティングなどを扱うように構成されることができる。図１Ｄに示すように、ｇＮＢ１８０ａ、１８０ｂ、１８０ｃは、Ｘｎインターフェースを介して互いに通信することができる。
【００５３】
図１Ｄに示すＣＮ１０６は、少なくとも１つのＡＭＦ１８２ａ、１８２ｂと、少なくとも１つのＵＰＦ１８４ａ、１８４ｂと、少なくとも１つのセッション管理機能（ＳＭＦ）１８３ａ、１８３ｂと、場合によっては、データネットワーク（ＤＮ）１８５ａ、１８５ｂとを含むことができる。上記の要素がＣＮ１０６の一部として示されているが、これらの要素のいずれかがＣＮオペレータ以外のエンティティによって所有および／または動作されることができることが理解されよう。
【００５４】
ＡＭＦ１８２ａ、１８２ｂは、Ｎ２インターフェースを介してＲＡＮ１０４中のｇＮＢ１８０ａ、１８０ｂ、１８０ｃのうちの１つまたは複数に接続されることができ、制御ノードとして働くことができる。たとえば、ＡＭＦ１８２ａ、１８２ｂは、ＷＴＲＵ１０２ａ、１０２ｂ、１０２ｃのユーザを認証すること、ネットワークスライシング（たとえば、異なる要件をもつ異なるプロトコルデータユニット（ＰＤＵ）セッションの扱い）のサポート、特定のＳＭＦ１８３ａ、１８３ｂを選択すること、登録エリアの管理、非アクセス層（ＮＡＳ）シグナリングの終了、モビリティ管理などを担当できる。ネットワークスライシングは、利用されたＷＴＲＵ１０２ａ、１０２ｂ、１０２ｃであるサービスのタイプに基づいてＷＴＲＵ１０２ａ、１０２ｂ、１０２ｃのＣＮのサポートをカスタマイズするために、ＡＭＦ１８２ａ、１８２ｂによって使用されることができる。たとえば、異なるネットワークスライスは、高信頼低遅延（ＵＲＬＬＣ）アクセスに依拠するサービス、拡張大規模モバイルブロードバンド（ｅＭＢＢ）アクセスに依拠するサービス、ＭＴＣアクセスのサービスなどの異なる使用事例のために確立されることができる。ＡＭＦ１８２ａ、１８２ｂは、ＲＡＮ１０４とＬＴＥ、ＬＴＥ−Ａ、ＬＴＥ−Ａ  Ｐｒｏ、および／またはＷｉＦｉなどの非３ＧＰＰアクセス技術などの他の無線技術を採用する他のＲＡＮ（図示せず）との間で切り替えるための制御プレーン機能を与えることができる。
【００５５】
ＳＭＦ１８３ａ、１８３ｂは、Ｎ１１インターフェースを介してＣＮ１０６中のＡＭＦ１８２ａ、１８２ｂに接続されることができる。ＳＭＦ１８３ａ、１８３ｂはまた、Ｎ４インターフェースを介してＣＮ１０６中のＵＰＦ１８４ａ、１８４ｂに接続されることができる。ＳＭＦ１８３ａ、１８３ｂは、ＵＰＦ１８４ａ、１８４ｂを選択および制御し、ＵＰＦ１８４ａ、１８４ｂを通してトラフィックのルーティングを構成することができる。ＳＭＦ１８３ａ、１８３ｂは、ＵＥのＩＰアドレスを管理し、割り当てること、ＰＤＵセッションを管理すること、ポリシーの実施およびＱｏＳを制御すること、ＤＬデータの通知を与えることなどの他の機能を実行することができる。ＰＤＵセッションのタイプは、ＩＰベースのもの、非ＩＰベースのもの、イーサネットベースのものなどであることができる。
【００５６】
ＵＰＦ１８４ａ、１８４ｂは、ＷＴＲＵ１０２ａ、１０２ｂ、１０２ｃとＩＰ対応デバイスとの間の通信を容易にするためにインターネット１１０などのパケット交換ネットワークへのアクセスをＷＴＲＵ１０２ａ、１０２ｂ、１０２ｃに与えることができるＮ３インターフェースを介してＲＡＮ１０４中のｇＮＢ１８０ａ、１８０ｂ、１８０ｃのうちの１つまたは複数に接続されることができる。ＵＰＦ１８４ａ、１８４ｂは、パケットをルーティングおよび転送すること、ユーザプレーンのポリシーを強制すること、マルチホームＰＤＵセッションをサポートすること、ユーザプレーンＱｏＳを扱うこと、ＤＬパケットをバッファリングすること、モビリティアンカリングを与えることなどの他の機能を実行することができる。
【００５７】
ＣＮ１０６は、他のネットワークとの通信を容易にすることができる。たとえば、ＣＮ１０６は、ＣＮ１０６とＰＳＴＮ１０８との間のインターフェースとして働くＩＰゲートウェイ（たとえば、ＩＰマルチメディアサブシステム（ＩＭＳ）サーバ）を含むことができるかまたはそれと通信することができる。さらに、ＣＮ１０６は、他のサービスプロバイダによって所有および／または動作される他のワイヤードおよび／またはワイヤレスネットワークを含むことができる他のネットワーク１１２へのアクセスをＷＴＲＵ１０２ａ、１０２ｂ、１０２ｃに与ることができる。一実施形態では、ＷＴＲＵ１０２ａ、１０２ｂ、１０２ｃは、ＵＰＦ１８４ａ、１８４ｂへのＮ３インターフェースとＵＰＦ１８４ａ、１８４ｂとＤＮ１８５ａ、１８５ｂとの間のＮ６インターフェースとを介してＵＰＦ１８４ａ、１８４ｂを通してローカルＤＮ１８５ａ、１８５ｂに接続されることができる。
【００５８】
図１Ａ〜図１Ｄおよび図１Ａ〜図１Ｄの対応する説明に鑑みて、ＷＴＲＵ１０２ａ〜ｄ、基地局１１４ａ〜ｂ、ｅノードＢ１６０ａ〜ｃ、ＭＭＥ１６２、ＳＧＷ１６４、ＰＧＷ１６６、ｇＮＢ１８０ａ〜ｃ、ＡＭＦ１８２ａ〜ｂ、ＵＰＦ１８４ａ〜ｂ、ＳＭＦ１８３ａ〜ｂ、ＤＮ１８５ａ〜ｂ、および／または本明細書で説明する任意の他のデバイスのうちの１つまたは複数に関して本明細書で説明する機能のうちの１つもしくは複数またはすべては、１つまたは複数のエミュレーションデバイス（図示せず）によって実行されることができる。エミュレーションデバイスは、本明細書で説明する機能のうちの１つもしくは複数またはすべてをエミュレートするように構成された１つまたは複数のデバイスであることができる。たとえば、エミュレーションデバイスは、他のデバイスをテストする、ならびに／またはネットワークおよび／もしくはＷＴＲＵ機能をシミュレートするために使用されることができる。
【００５９】
エミュレーションデバイスは、ラボ環境でおよび／またはオペレータネットワーク環境で他のデバイスの１つまたは複数のテストを実施するように設計されることができる。たとえば、１つまたは複数のエミュレーションデバイスは、通信ネットワーク内の他のデバイスをテストするためにワイヤードおよび／またはワイヤレス通信ネットワークの一部として完全にもしくは部分的に実装および／または展開されながら、１つもしくは複数またはすべての機能を実行することができる。１つまたは複数のエミュレーションデバイスは、ワイヤードおよび／またはワイヤレス通信ネットワークの一部として一時的に実装／展開されながら、１つもしくは複数またはすべての機能を実行することができる。エミュレーションデバイスは、オーバージエアワイヤレス通信を使用してテストするおよび／またはテストを実行するために別のデバイスに直接結合されることができる。
【００６０】
１つまたは複数のエミュレーションデバイスは、ワイヤードおよび／またはワイヤレス通信ネットワークの一部として実装／展開されることなしに、すべてを含む１つまたは複数の機能を実行することができる。たとえば、エミュレーションデバイスは、１つまたは複数の構成要素のテストを実施するために試験所ならびに／または展開されていない（たとえばテスト用の）ワイヤードおよび／もしくはワイヤレス通信ネットワーク中のテストシナリオで利用されることができる。１つまたは複数のエミュレーションデバイスは、テスト機器であることができる。データを送信および／または受信するためにエミュレーションデバイスによって、直接ＲＦ結合および／または（たとえば１つまたは複数のアンテナを含むことができる）ＲＦ回路を介したワイヤレス通信が使用されることができる。
【００６１】
ＩＥＥＥ８０２．１１高効率ＷＬＡＮ（ＨＥＷ）研究グループ（ＳＧ）は、２．４ＧＨｚおよび５ＧＨｚ帯域における高密度シナリオを含む多くの使用シナリオにおいて異なるタイプのワイヤレスユーザが経験するサービス品質（ＱｏＳ）への強化を探求するために作成された。たとえば、ＨＥＷ  ＳＧは、ＡＰ、ＳＴＡ、および関連する無線リソース管理（ＲＲＭ）技術の高密度展開をサポートする使用事例について考えることができる。ＨＥＷの例示的な適用例は、スタジアムイベントおよび他の高ユーザ密度シナリオ（たとえば、駅、企業／小売環境）のためのデータ配信、ビデオ配信、ならびに医療適用例のためのワイヤレスサービスなどの使用シナリオを含むことができる。
【００６２】
ＨＥＷ  ＳＧによって承認されたＩＥＥＥ  ８０２．１１ａｘタスクグループ（ＴＧ）（ＴＧａｘ）は、様々な使用事例シナリオのためのトラフィックを調査、測定し、様々な適用例が短パケットの高い可能性を有することができ、いくつかのネットワーク適用例が短パケットを生成することができることを発見した。短パケットを生成することができるネットワーク適用例の例は、限定はしないが、仮想オフィス、送信電力制御（ＴＰＣ）の肯定応答（ＡＣＫ）、ビデオストリーミングのＡＣＫ、デバイス／コントローラ（たとえば、マウス、キーボード、ゲーム制御）、アクセスプローブの要求／応答、ネットワーク選択プローブの要求およびＡＮＱＰ、ならびに／またはネットワーク管理のための制御フレームの適用例を含む。８０２．１１ａｘ標準は、ＵＬランダムアクセス多重化を含むＵＬ多重化から利益を得ることができる、アップリンク（ＵＬ）および／もしくはダウンリンク（ＤＬ）ＯＦＤＭＡならびに／またはＵＬおよび／もしくはＤＬ  ＭＵ−ＭＩＭＯなどのマルチユーザ（ＭＵ）特徴をサポートすることができる。
【００６３】
ＩＥＥＥ８０２．１１ｂａウェイクアップ無線（ＷＵＲ）ＳＧは、ＰＨＹおよびＭＡＣプロトコルを調査し、８０２．１１のデバイスの拡張された低電力動作を与えるように発展させるために作成された。８０２．１１ｂａ  ＷＵＲのための動作周波数帯域は、２．４ＧＨｚおよび／または５ＧＨｚを含むことができ、サブ１ＧＨｚに拡張されることができる。８０２．１１ｂａ  ＷＵＲの一例では、８０２．１１デバイスは、ＷＵＲと１次接続無線（ＰＣＲ：primary connectivity radio）とを装備することができる。ＡＰおよび／または非ＡＰ  ＳＴＡは、ＰＣＲへのコンパニオン無線としてＷＵＲを有することができる。ＰＣＲは、（たとえば、８０２．１１ａｃ、８０２．１１ａｆ、８０２．１１ａｈ、８０２．１１ｎ、および／または８０２．１１ａｘに従って）標準的な８０２．１１パケットを送信および受信するために使用されることができ、ＷＵＲは、ＰＣＲへの低電力コンパニオン無線として動作することができる。ＷＵＲは、少なくとも２０ＭＨｚのペイロード帯域幅上で動作するＰＣＲの範囲と少なくとも同じであるカバレージ範囲を有することができる。本明細書では、ＰＣＲは、主無線、１次無線、８０２．１１無線、ＷｉＦｉ無線、または１次送信無線（ＰＴＲ）と互換的に呼ばれることがあり、パケット、フレーム、信号、シグナリングおよびメッセージが互換的に使用されることがある。本明細書では、スリープ、ドーズ（doze）またはＷＵＲモード（または状態）は、それのＰＣＲがオフになった状態および／またはそれのＷＵＲがオンになった状態で動作するＳＴＡを指すことがあり、したがって、ＰＣＲよりもＷＵＲを動作するためにより少ない電力が使用される。ＷＵＲモードで動作し、ウェイクアップパケットをＷＵＲを用いて受信するＳＴＡは、スリープ状態から起動し電源投入（オン）するように対応するＰＣＲをトリガするか、またはそれを対応するＰＣＲに行わせることができる。本明細書では、特定のタイプのフレーム間隔（ＩＦＳ: Interframe Spacing）が例として与えられることができるが、任意の他のタイプのＩＦＳ（たとえば、短縮ＩＦＳ（ＲＩＦＳ: Reduced IFS））または任意の他の時間間隔が、本明細書で説明する例に適用されることができる。
【００６４】
一例では、ＷＵＲは、制御情報を搬送するパケットを送信および／または受信することができる。一例では、ＳＴＡ中のＷＵＲは、制御情報を含んでいるメッセージなどのメッセージを受信するように構成された一方向性の無線であることができる。ＷＵＲは、狭帯域チャネルを介して（すなわち、狭い周波数帯域幅を用いて）通信することができ、および／または１ミリワット（ｍＷ）を下回るアクティブ受信機電力消費量を有することができる。一例では、ＡＰは、２０ＭＨｚのＰＣＲチャネル上で動作することができ、したがって、２０ＭＨｚのＰＣＲチャネルは、ＷＵＲ対応のＷＴＲＵを用いたＷＵＲ動作のために割り当てられた４ＭＨｚのＷＵＲチャネルを（すなわち、２０ＭＨｚの周波数帯域内に）含むことができる。別の例では、ＡＰは、２０ＭＨｚのＰＣＲチャネル上で動作することができ、したがって、２０ＭＨｚのＰＣＲチャネルは、ＷＵＲ対応のＷＴＲＵを用いたＷＵＲ動作のために割り当てられた２つ以上の重複しない４ＭＨｚのＷＵＲチャネルを含むことができる。別の例では、ＡＰは、８０ＭＨｚのＰＣＲチャネル上で動作することができ、したがって、（８０ＭＨｚのチャネル内の）各２０ＭＨｚのＰＣＲチャネルは、ＷＵＲ対応のＷＴＲＵを用いたＷＵＲ動作のために割り当てられた４ＭＨｚのＷＵＲチャネル（合計で４つの４ＭＨｚのＷＵＲチャネル）を含むことができる。
【００６５】
８０２．１１ｂａ  ＷＵＲの例示的な適用例は、限定はしないが、ＩｏＴデバイス、スマートフォンのための低電力動作、クイックメッセージ／着信呼出通知シナリオ、クイックステータスクエリ／報告適用例、構成変更シナリオ、および／またはクイック緊急／重要イベント報告シナリオの適用例を含むことができる。
【００６６】
図２は、ＡＰ２０１とＳＴＡ２０２との間の例示的なＷＵＲネゴシエーション手順２００のシグナリング図であり、ここで、ＳＴＡ２０２は、ＷＵＲ２０４およびＰＣＲ２０６を装備する（ＳＴＡ２０２は、図１Ｂに示すＷＴＲＵ１０２の構成要素のいずれかを含む図示されていない他の構成要素を含むことができる）。ＰＣＲ２０６は、送受信機を含むことができ、８０２．１１ｎおよび／または８０２．１１ａｘなどの８０２．１１プロトコルに従って動作する８０２．１１無線であることができる。ＷＵＲ２０４が一方向での通信（すなわち、受信）のために構成される場合、ＷＵＲ２０４は、送受信機または受信機を含むことができる。ＷＵＲネゴシエーション手順２００が実行されることができる例示的なシナリオは、限定はしないが、周波数帯域およびチャネルネゴシエーション、ウェイクアップパケット中でのＳＴＡ識別子（ＩＤ）の割り当て、８０２．１１無線（すなわち、ＰＣＲ２０６）をオンにするために必要とされる時間のインジケーション（表示:indication）、および／または周期的なＷＵＲ２０４受信機のオン／オフスケジュールのインジケーションのシナリオを含む。ＷＵＲモードフィールドまたは要素は、限定はしないが、ＷＵＲセットアップ情報と、ＷＵＲチャネル情報と、ＷＵＲ識別情報（ＩＤ）と、ＷＵＲデューティサイクルと、ＰＣＲ２０６とＷＵＲ２０４との間のホッピングまたは切替えのための時間持続時間(time duration)情報とを含むＷＵＲ動作のための情報を与えるように定義されることができる。ＷＵＲ情報を搬送するＷＵＲモードフィールドは、ビーコンフレーム、（再）関連付けフレーム、および／もしくはプローブ要求／応答フレームなどのＷＵＲネゴシエーションフレーム（たとえば、ＷＵＲ要求フレーム２１０、ＷＵＲ応答フレーム２１２、ＷＵＲシグナリングフレーム２１４）ならびに／または任意の他の制御もしくは管理フレーム（図示せず）のいずれかの中に含まれることができる。
【００６７】
ＷＵＲ２０４がオフであり、ＰＣＲ２０６がオンである期間２２２と、ＷＵＲ２０４がオンであり、ＰＣＲ２０６がオフである低電力またはＷＵＲモードにＳＴＡ２０２がある期間２２４と、ＷＵＲ２０４がオフであり、ＰＣＲ２０６がオンである期間２２６との時間期間を例示的なＷＵＲネゴシエーション手順２００に示す。期間２２２中に、ＳＴＡ２０２は、ＰＣＲ２０６を使用して、ＡＰ２０１にＷＵＲ要求メッセージ２１０を送ることができる。ＳＴＡ２０２は、ＰＣＲ２０６を用いて、ＳＴＡ２０２がＷＵＲ動作モードを使用する権限があることのインジケーション（表示:indication）を含むことができるＷＵＲ応答メッセージ２１２をＡＰ２０１から受信することができる。ＳＴＡ２０２は、ＰＣＲ２０６を使用して、ＡＰ２０１にＷＵＲシグナリング２１４（たとえば、１つまたは複数のメッセージ）を送って、ＳＴＡ２０２がＷＵＲ状態に入り、ＷＵＲ２０４を使用し、ＰＣＲ２０６をオフにすることになることをＡＰ２０１に通知することができる。期間２２４中に、ＳＴＡ２０２は、低電力ＷＵＲ状態にあり、したがって、ＰＣＲ２０６はオフであり、ＳＴＡ２０２は、ＷＵＲ２０４を使用してＡＰ２０１と通信することができる。一例では、ＷＵＲ２０４は、一方向性モードで動作することができ、したがって、ＷＵＲ２０４は、ＡＰ２０１からパケットを受信することができ、パケットを送信するために使用されないことがある。ＰＣＲ２０６がオフの間の期間２２４中に、ＳＴＡ２０２は、ＷＵＲ２０４を使用して、ＰＣＲ２０６をオンにするようにＳＴＡ２０２に通知するウェイクアップパケット２１６をＡＰ２０１から受信することができる。ウェイクアップパケット２１６に応答して、ＳＴＡ２０２は、期間２２６中に、（例えば、処理遅延２２８の後に）ＰＣＲ２０６をオンにし、ＷＵＲ２０４をオフにすることができる。期間２２６中に、ＳＴＡ２０２は、ＡＰ２０１とメッセージを交換することができる。たとえば、ＳＴＡ２０２は、ＡＰ２０１に、省電力ポール（ＰＳ−Ｐｏｌｌ）および／またはトリガフレーム２１８に送ることができ、ＡＰ２０１から、データフレーム２２０を受信することができる。
【００６８】
一例では、ＷＵＲをサポートするＳＴＡ（たとえば、ＡＰまたは非ＡＰ  ＳＴＡ）は、広帯域チャネルを介して８０２．１１信号を通信するためにＰＣＲを使用し、狭帯域チャネルを介してＷＵＲ信号を通信するためにＷＵＲを使用することができる。たとえば、８０２．１１信号は、２０ＭＨｚ、４０ＭＨｚ、８０ＭＨｚ、８０＋８０ＭＨｚ、および１６０ＭＨｚの帯域幅を有することができる。対照的に、ＷＵＲ信号の帯域幅は、４ＭＨｚまたは５ＭＨｚであることができる。８０２．１１信号は、ＷＵＲ送信信号と部分的に重複することも重複しないこともある広帯域チャネル上で送信されることができる。広帯域送信と比較して、狭帯域送信は、チャネルフェージングにより弱いことがある。したがって、ＳＴＡが送信ＳＴＡ（たとえば、ＡＰ）の極近傍にある場合でも、深いチャネルフェージングを経験しているＳＴＡは、ＷＵＲ信号を受信するのが困難であることがある。したがって、狭帯域ＷＵＲ送信は、チャネルフェージングに対する追加の保護から利益を得ることがある。
【００６９】
一例では、マルチチャネルＷＵＲ狭帯域送信がサポートされることができる。たとえば、ＡＰは、複数の重複しない狭帯域ＷＵＲチャネル（たとえば、各々５ＭＨｚの４つのＷＵＲチャネル）をサポートしながら１つの８０２．１１広帯域チャネル（たとえば、２０ＭＨｚのチャネル）上で動作することができる。ＡＰは、以下の例示的な方法のいずれかを使用して、複数のＷＵＲチャネル上で複数のＷＵＲ信号を同時に送信することができる。一例では、（複数の同時ＷＵＲチャネルの中からの）１つのＷＵＲチャネルが、ＷＵＲ１次チャネルとして定義されることができ、ＷＵＲビーコン／同期信号が、ＷＵＲ１次チャネルを介して送信されることができる。すべてのＷＵＲ  ＳＴＡは、ＷＵＲビーコン／同期信号を受信するためにＷＵＲ１次チャネルを監視（モニター）することができる。別の例では、１つＷＵＲチャネルが、１次ＷＵＲチャネルとして定義されていることができ、ＷＵＲビーコン／同期信号は、一部またはすべてのＷＵＲチャネル（すなわち、ＷＵＲ１次チャネルだけでない）上で送信されることができる。別の例では、ＷＵＲ１次チャネルが定義されないことがあり、ＷＵＲビーコン／同期信号が、ＷＵＲチャネルのいずれかまたはすべてを介して送信されることができる。
【００７０】
図３Ａおよび図３Ｂは、複数のＷＵＲチャネル３０１、３０２、３０３および３０４をもつ例示的なビーコン／同期シグナリング手順３００Ａおよび３００Ｂのシグナリング図である。例示的なビーコン／同期シグナリング手順３００Ａおよび３００Ｂは、すべてのＷＵＲチャネル３０１〜３０４上で送信されるＷＵＲビーコン／同期信号を伴うことができる。例示的な同期ビーコン／同期シグナリング手順３００Ａによれば、ＷＵＲビーコン／同期フレーム３０６1~4は、同期フォーマットでチャネル３０１〜３０４上で同時に送信されることができ、ＷＵＲビーコン間隔３０８は、すべてのＷＵＲチャネル３０１〜３０４に対して同じであることができる。例示的なオフセットビーコン／同期シグナリング手順３００Ｂによれば、ＷＵＲビーコンフレーム３１０1~4は、固定オフセットを用いてチャネル３０１〜３０４上で送信され得る。例えば、ＷＵＲチャネル３０２上のビーコン／同期フレーム３１０2は、ＷＵＲチャネル３０１上でのビーコン／同期フレーム３１０1の送信後の１Ｔオフセットの持続時間(期間：duration)送信され得る。ＷＵＲチャネル３０３上のビーコン／同期フレーム３１０3は、ＷＵＲチャネル３０１上でのビーコン／同期フレーム３１０1の送信後の２Ｔオフセットの持続時間送信され得る。ＷＵＲチャネル３０４上のビーコン／同期フレーム３１０4は、ＷＵＲチャネル３０１上でのビーコン／同期フレーム３１０1の送信後の３Ｔオフセットの持続時間送信され得る。ＷＵＲビーコン間隔３１２1~4は、すべてのＷＵＲチャネル３０１〜３０４上に同じ持続時間(期間：duration)を有することができる。
【００７１】
一例によれば、ＡＰは、複数のチャネルを介してビーコン／同期フレームを送信することができ（たとえば、ＷＵＲ１次チャネルが使用されることも使用されないこともあり）、ＷＵＲチャネル切替えまたはＷＵＲチャネルホッピングは、ＷＵＲ動作中に使用されることができる。ＷＵＲチャネル切替えは、ＳＴＡがＷＵＲチャネルを切り替えるたびにＳＴＡがＡＰとＷＵＲチャネルおよび／またはＷＵＲチャネルパラメータを再ネゴシエートすることを含むことができる。ＷＵＲチャネルホッピングの場合、ＳＴＡは、チャネルホッピングパターンに従ってＷＵＲチャネル間を変更またはホッピングすることができ、ここで、ＡＰとＳＴＡとは、次回のＷＵＲチャネルに関する情報をすでに有する。ＷＵＲチャネル切替えとＷＵＲチャネルホッピングとの例について、以下で詳細に説明する。
【００７２】
図４は、例示的なＷＵＲチャネル切替え手順４００のシグナリング図である。図４の例では、ＡＰ４０６は、たとえば、ＷＵＲチャネルセットアップ期間４１５中にならびに／またはＷＵＲチャネル監視期間４１７および４２５中に複数のＷＵＲチャネル４０１〜４０４を介してビーコン／同期フレーム（図示せず）を送信することができる。ＷＵＲチャネル４０１〜４０４は、ＷＵＲ１次チャネルを含むことも含まないこともある。ＷＵＲチャネルセットアップ期間４１５中に、ＡＰ４０６とＳＴＡ４０８とは、ＷＵＲセットアップ情報（たとえば、ＷＵＲビーコン／同期信号情報、ＷＵＲデューティサイクル情報、ＷＵＲチャネル情報、および／またはＷＵＲレート情報）を交換することができる。
【００７３】
ＳＴＡ４０８は、それの関連するＡＰ４０６に、主動作無線（たとえば、ＰＣＲ）に関連付けられることができる主チャネル４０５上でＷＵＲ要求フレーム４１０を送信することができる。ＷＵＲ要求フレーム４１０は、（すなわち、主無線／ＰＣＲをオフにすることによって）主チャネル４０５上でドーズまたはスリープモードに入り、（１つまたは複数のＷＵＲを使用して）少なくとも１つのＷＵＲチャネル４０１〜４０４を監視し始めるＳＴＡ４０８の意図を示すことができる。ＷＵＲ要求フレーム４１０では、ＳＴＡ４０８は、複数のＷＵＲチャネル４０１〜４０４のうち好適なＷＵＲチャネルを示すことができる。たとえば、ＳＴＡ４０８は、ＡＰ４０６に、ＷＵＲ要求フレーム４１０中で好適なチャネルインデックス（preferred channel index）、選好順（preference order）のＷＵＲチャネルリスト、および／またはＷＵＲチャネル４０１〜４０４ごとにチャネル品質報告を示すことができる。たとえば、チャネル品質報告は、各ＷＵＲチャネル上で測定された信号対雑音比（ＳＮＲ）、信号対干渉雑音比（ＳＩＮＲ）、または受信信号強度インジケータ（ＲＳＳＩ）を含むことができる。一例では、（たとえば、２０ＧＨｚの）主８０２．１１チャネルは、ＷＵＲチャネル４０１〜４０４から構成されることができ、したがって、各ＷＵＲチャネル４０１〜４０４（たとえば、ガードバンドが除去された状態の各々４ＧＨｚ）の測定は、ＷＵＲチャネル４０１〜４０４を備える主８０２．１１チャネル上で送信される信号を測定することによって主無線を使用して行われることができる。
【００７４】
ＳＴＡ４０８は、（主無線を介して）主チャネル４０５上でＡＰ４０６からのＷＵＲ応答フレーム４１２を検出し、受信することができる。一例では、ＷＵＲ応答フレーム４１２は、ＷＵＲ要求フレーム４１０の後のＩＦＳ（たとえば、ｘＩＦＳ）時間受信されることができる。ＷＵＲ応答フレーム４１２は、ＳＴＡ４０８に割り当てられたＷＵＲチャネル（たとえば、ＷＵＲチャネル４０１）を示すことができる。ＷＵＲ応答フレーム４１２は、ＳＴＡ４０８がＷＵＲに切り替えることができる時間を示すＷＵＲ開始時間を示すことができる（たとえば、時間は、図示しないＷＵＲビーコン／同期フレームの前のｘ＿ｄｕｒａｔｉｏｎに設定されることができ、ここで、ｘ＿ｄｕｒａｔｉｏｎは、ＳＴＡ４０８が主無線からＷＵＲ無線に切り替えることを許容する短い持続時間(small duration)であることができる）。ＷＵＲ応答フレーム４１２は、ＡＰ４０６による他の動作ＷＵＲチャネル（たとえば、ＷＵＲチャネル４０１〜４０４のいずれか）を示すことができる。
【００７５】
ＷＵＲ応答フレーム４１２は、ＷＵＲビーコン間隔または同期信号の周期を示すことができる。ＷＵＲ応答フレーム４１２は、ＳＴＡ４０８がＷＵＲチャネルを切り替える前の最大監視持続時間(最大モニタリング期間：maximum monitoring duration)を示すことができる。たとえば、ＳＴＡ４０８が、（たとえば、監視期間４１７に等しい）最大監視持続時間中に割り当てられたＷＵＲチャネル４０１上でいかなる有効なＷＵＲ送信も観測しない場合、ＳＴＡ４０８は、異なるＷＵＲチャネルに（たとえば、ＷＵＲチャネル４０１からＷＵＲチャネル４０２に）切り替えることを試みることができる。別の例では、切替えの前の最大監視持続時間（最大モニタリング期間）は、予め決定されることができ、ＡＰ４０６によってシグナリングされないことがある。ＷＵＲ応答フレーム４１２は、ＳＴＡ４０８がＷＵＲチャネル（たとえば、ＷＵＲチャネル４０１）から主無線（ＰＣＲ）／主チャネル４０５に切り替えて戻る前の最大監視持続時間（最大モニタリング期間）を示すことができる。たとえば、ＳＴＡ４０８が最大監視持続時間中にＷＵＲチャネル４０１上でのいかなる有効なＷＵＲ送信も観測しない場合、ＳＴＡ４０８は、主チャネル４０５／主無線に切り替えて戻ろうと試みることができる。別の例では、切替えの前の最大監視持続時間（最大モニタリング期間）は、予め決定されることができ、ＡＰ４０６によってシグナリングされないことがある。ＷＵＲ応答フレーム４１２は、ＳＴＡ４０８に割り当てられた（たとえば、ＷＵＲチャネル４０１のための）ＷＵＲ  ＳＴＡ  ＩＤを示すことができる。
【００７６】
ＳＴＡ４０８は、主チャネル４０５を介してＷＵＲシグナリングフレーム４１４を送信することができ、これは、ＷＵＲ応答フレーム４１２の受信を示すことができ、ＳＴＡ４０８がＷＵＲシグナリングフレーム４１４を送信した後に主無線からＷＵＲに切り替えていることを示すことができる。一例では、ＳＴＡ４０８は、ＷＵＲ応答フレーム４１２を受信した後にＷＵＲシグナリングフレーム４１４ＩＦＳ時間（たとえば、ｙＩＦＳ）を送信することができる。図示しない一例では、ＳＴＡ４０８は、ＷＵＲ要求／応答交換中の（たとえば、後の）送信機会（ＴＸＯＰ）とは別個のＴＸＯＰ中にＷＵＲシグナリングフレーム４１４を送信することができる。ＷＵＲシグナリングフレーム４１４は、ＳＴＡ４０８がＷＵＲシグナリングフレーム４１４の送信の終了から主無線をオフに切り替えるインジケーションを含むことができる。ＷＵＲシグナリングフレーム４１４は、ＳＴＡ４０８がＷＵＲ開始時間としてＡＰ４０６によって示された時間に主無線をオフに切り替えることになるインジケーションを含むことができる。ＷＵＲシグナリングフレーム４１４は、ＳＴＡ４０８がＷＵＲシグナリングフレーム４１４の送信の終了からＷＵＲをオンに切り替えるインジケーションを含むことができる。ＷＵＲシグナリングフレーム４１４は、ＳＴＡ４０８がＷＵＲ開始時間としてＡＰ４０６によって示された時間に主無線をオフに切り替えるインジケーションを含むことができる。ＷＵＲシグナリングフレーム４１４は、ＳＴＡ４０８が動作することになる（たとえば、ＷＵＲチャネル４０１のための）チャネルのＷＵＲチャネルインデックスおよび／またはＷＵＲチャネルＩＤを含むことができる。
【００７７】
ＷＵＲシグナリング４１４に続いて、ＳＴＡ４０８は、（たとえば、ＷＵＲシグナリングフレーム４１４の送信の終了から、またはＷＵＲ開始時間としてＡＰ４０６によって示された時間に）ＷＵＲをオンに切り替えることができ、および／または主無線をオフに切り替えることができる。ＳＴＡ４０８は、１つまたは複数の割り当てられたＷＵＲチャネル４０１〜４０４（たとえば、割り当てられたＷＵＲチャネル４０１）を監視する（モニター）ことができる４１６。たとえば、ＳＴＡ４０８は、最大監視持続時間の間ＷＵＲチャネル４０１を監視する（モニター）ことができる４１６。ＳＴＡ４０８が、最大監視持続時間中にＡＰ４０６からいかなる有効な送信も観測しない（たとえば、ＡＰ４０６が、監視期間４１７に等しい最大監視持続時間中にウェイクアップＳＴＡパケット４１８を送信しない）場合、ＳＴＡ４０８は、ＷＵＲ切替えフレーム４２０を送信して、異なるＷＵＲチャネルに（たとえば、ＷＵＲチャネル４０１からＷＵＲチャネル４０２に）に切り替えることができる。ＷＵＲ切替えフレーム４２０は、（たとえば、ＷＵＲチャネル４０１のための）現在のＷＵＲインデックス／ＩＤと、（たとえば、ＷＵＲチャネル４０２のために）使用されるべきＷＵＲインデックス／ＩＤとを搬送することができる。
【００７８】
ＷＵＲ切替えフレーム４２０を送信するために、ＳＴＡ４０８は、所定の時間持続時間の間主チャネル４０５を監視した後に、主無線をオンにし、主無線／主チャネル４０５を介してＷＵＲ切替えフレーム４２０を送信することができる。ＳＴＡ４０８は、ＷＵＲ切替えフレーム４２０の主無線送信の前に拡張分散チャネルアクセス（ＥＤＣＡ）バックオフを実行することができる。主無線を介した電力消費量を低減するために、ＳＴＡ４０８は、優先順位の高いアクセスカテゴリのＥＤＣＡパラメータを使用して、主チャネル４０５を介してＷＵＲ切替えフレーム４２０を送信することができる。たとえば、ＷＵＲ切替えフレーム４２０は、ＡＣ＿ＶＩまたはＡＣ＿ＶＯなどのあるアクセスカテゴリを使用して送られることができる。ＡＰ４０６は、ビーコンフレーム、プローブ応答フレーム、および（再）関連付け応答フレーム（図示せず）中のＥＤＣＡパラメータセット要素を変更することによってＥＤＣＡアクセスパラメータを変更することができる。一例では、ＷＵＲ切替えフレーム４２０は、ＷＵＲ要求フレームであることができる。ＳＴＡ４０８は、ＡＰ４０６が主チャネル４０５を介してＷＵＲ応答フレーム４１２で応答するのを待ち、次いで、別のＷＵＲ切替えフレーム４２０を送信することができる。ＡＰ４０６とＳＴＡ４０８とは、ＷＵＲ要求および応答フレーム交換を使用して、使用されるべきＷＵＲチャネルをネゴシエートすることができ、したがって、ＳＴＡ４０８は、合意されたＷＵＲチャネル（たとえば、ＷＵＲチャネル４０２）を使用することができる。
【００７９】
図示しない別の例では、ＳＴＡ４０８は、ＷＴＲＵが監視および／または切替えのために使用すべきＷＵＲチャネル（たとえば、ＷＵＲチャネル４０１または４０２）をＳＴＡ４０８が決定することができる以前のＷＵＲ要求／応答フレーム交換から動作ＷＵＲチャネルの識別情報を決定することができる。ＳＴＡ４０８は、主チャネル４０５を介してＡＰ４０６に選択されたＷＵＲチャネルを示す情報を送信することができる。したがって、ＳＴＡ４０８は、ＳＴＡ４０６によって選択され、示されたＷＵＲチャネルを監視することに切り替えることができる。
【００８０】
図示しない別の例では、ＳＴＡ４０８は、ＡＰ４０６に現在割り当てられているＷＵＲチャネル（たとえば、ＷＵＲチャネル４０１）を介してＷＵＲ切替えフレーム４２０を送信することができる。たとえば、ＳＴＡ４０８は、ＡＰ４０６が現在のＷＵＲチャネル４０１を介して応答するのを待つことができる。したがって、ＳＴＡ４０８は、新しいＷＵＲチャネル（たとえば、ＷＵＲチャネル４０２）に切り替えることができる。別の例では、ＳＴＡ４０８は、ＳＴＡ４０８が切替えより前に現在のＷＵＲチャネル４０１を介してＷＵＲ切替えフレーム４２０を送信した後に新しいＷＵＲチャネル４０２に切り替えることができる。ＳＴＡ４０８が新しいＷＵＲチャネル４０２に切り替えると、ＳＴＡ４０８は、新しいＷＵＲチャネル４０２を介してＷＵＲ切替えチャネルフレーム（図示せず）を送信して、ＷＵＲチャネル切替えに関してＡＰ４０６に通知することができる。ＳＴＡ４０８は、新しいＷＵＲチャネル４０２に関してＡＰ４０８から確認を受信するのを予想することができる。
【００８１】
ＳＴＡ４０８がＷＵＲチャネル４０２への切替えを完了すると、ＳＴＡ４０８は、持続時間（たとえば、最大監視持続時間）の間ＷＵＲチャネル４０２を監視する（モニター）ことができ４２２、たとえば、ＡＰ４０６からウェイクアップＳＴＡフレーム４２４を受信することができる。図示しない別の例では、最大監視持続時間（最大モニタリング期間）の間ＷＵＲチャネル４０１を監視すること４１６を行いながらフレームがＳＴＡ４０８によって受信されない場合でも、ＳＴＡ４０８は、ＷＵＲチャネルを切り替えることなしに現在のＷＵＲチャネル４０１を監視し続けることができる。
【００８２】
ＡＰ駆動型のＷＵＲトリガ手順の一例では、ＡＰは、１つまたは複数のＳＴＡとのＷＵＲ要求／応答交換を開始することができる。たとえば、ＳＴＡがＷＵＲ送信が可能であるとＡＰが決定するとき、ＳＴＡが電力を節約するためにＷＵＲ動作モードに切り替えることを意図するとＡＰが決定したとき、および／またはＡＰがＳＴＡのためのデータをバッファしなかったときの条件のうちの任意の１つまたは複数が満たされるとき、ＡＰはＷＵＲモードをトリガする。
【００８３】
ＡＰ駆動型のＷＵＲトリガ手順の場合、ＡＰは、主無線を介して１つまたは複数のＳＴＡにＷＵＲトリガフレームを送信することができる。ＷＵＲトリガフレームは、ＳＴＡのためのＷＵＲ動作チャネル、ＷＵＲ開始時間、および／またはＷＵＲチャネル割当てを搬送することができる。ＷＵＲトリガフレームは、ＷＵＲ応答フレームと同じであることができる。ＷＵＲトリガフレームの受信時に、ＳＴＡは、それがＷＵＲトリガフレームの予定受信側者であるのかどうか（たとえば、ＳＴＡがＷＵＲトリガフレーム中で識別されるのか）を検査することができる。ＳＴＡが予定受信側である場合、ＳＴＡは、それがそれのＷＵＲ無線をオンにしようとし、および／またはそれの主無線をオフに切り替えようとするのかどうかを確認することができる。ＷＵＲトリガフレームが要求または許容される場合、ＳＴＡは、（たとえば、トリガベースのＰＰＤＵを使用して）ＷＵＲシグナリングフレームを送信することができる。ＷＵＲトリガフレームが複数のＳＴＡに送信される場合、複数のＳＴＡは、ＯＦＤＭＡ送信を使用して同時に返答することができる。ＳＴＡによって送信されるＷＵＲシグナリングフレームの各々の中で、ＳＴＡは、それが主無線をオフに切り替え、および／またはＷＵＲを使用し始めることになるのかどうかを示すことができる。ＳＴＡが監視することができるＷＵＲチャネルインデックスは、ＷＵＲシグナリングフレーム中に含まれることができる。ＡＰ駆動型のＷＵＲトリガ手順の他の要素は、上記でおよび図４に関して説明したそれらの要素など、ＷＵＲ  ＳＴＡ手順のための要素と同様であることができる。
【００８４】
一例では、ＷＵＲチャネルホッピングが、ＷＵＲ動作の一部として使用されることができる。図５は、例示的なＷＵＲチャネルホッピング手順５００のシグナリング図である。図５の例示的なＷＵＲチャネルホッピング手順５００では、ＡＰ５０６は、１つまたは複数のＷＵＲチャネル５０１、５０２、５０３、５０４を介してビーコン／同期フレーム５１０、５１２、５１４、５１６、５１８、５２０を送信することができる。ＷＵＲチャネル５０１、５０２、５０３、５０４は、１次チャネルを含むことも含まないこともある。図５に、ＷＵＲビーコン間隔持続時間ＴBIとＳＴＡ５０８が特定のまたは割り当てられたＷＵＲチャネルを監視する持続時間であることができるＷＵＲチャネルホッピング持続時間(チャネルホッピング期間)ＴCHとを示す。たとえば、ＳＴＡ５０８は時間ｔ０から時間ｔ０＋ＴCHまでＷＵＲチャネル５０１を監視する（モニター）ことができ、時間ｔ０＋ＴCHから時間ｔ０＋２ＴCHまでＷＵＲチャネル５０４を監視することができる。ＷＵＲチャネルホッピング持続時間ＴCHは、たとえば、ビーコン間隔持続時間（ビーコン間隔時間）ＴBIの数の単位であることができる。
【００８５】
ＷＵＲチャネルホッピング間隔（ＨＩ）、ＨＩ５２２およびＨＩ５２４は、［ｔ，ｔ＋Ｔ＿ＣＨ］の間の間隔として定義されていることができ、ここで、ｔは、ＷＵＲ開始時間（たとえば、ＨＩ５２２およびＷＵＲチャネル５０１の場合Ｔ０）またはＷＵＲ開始時間からのオフセット（たとえば、ＨＩ５２４およびＷＵＲチャネル５０４の場合Ｔ０＋ＴCH）に等しくなることができる。Ｎは、チャネルホッピング間隔ＨＩ５２２中に実行されるチャネルホップの数を表す整数であることができる。ＴSWは、ＳＴＡ５０８が１つのＷＵＲチャネルから別のＷＵＲチャネルにホッピングするための切替え時間であることができ、０以上であることができる。ＷＵＲチャネル切替えについて通知するために追加のシグナリングが送信される場合、シグナリング時間は、切替え時間ＴSW中に含まれることができる。一例では、ＷＵＲチャネルホッピング間隔ＨＩのための開始時間ｔは、概して、式１によって定義されることができる。
【００８６】
Ｔ＝Ｔ０＋Ｎ＊ＴCH＋Ｎ＊ＴSW  式１
図６は、例示的なＷＵＲチャネルホッピング手順６００のシグナリング図である。ＡＰ６０６は、たとえば、ＷＵＲチャネルセットアップ期間６１５中に複数のＷＵＲチャネル６０１〜６０４を介してビーコン／同期フレーム（図示せず）を送信することができる。ＷＵＲチャネル６０１〜６０４は、ＷＵＲ１次チャネルを含むことも含まないこともある。
【００８７】
ＳＴＡ６０８は、それの関連するＡＰ６０６に、主動作無線（たとえば、ＰＣＲ）に関連付けられることができる主チャネル６０５上でＷＵＲ要求フレーム６１０を送信することができる。ＷＵＲ要求フレーム６１０は、（すなわち、主無線／ＰＣＲをオフにすることによって）主チャネル６０５上でのドーズモードに入り、（１つまたは複数のＷＵＲを使用して）少なくとも１つのＷＵＲチャネル６０１〜６０４を監視し始めるＳＴＡ６０８の意図を示すことができる。ＷＵＲ要求フレーム６１０では、ＳＴＡ６０８は、複数のＷＵＲチャネル６０１〜６０４のうち好適なＷＵＲチャネルを示すことができる。たとえば、ＳＴＡ６０８は、好適なチャネルインデックス、選好順（preference order）のＷＵＲチャネルリスト、および／またはＷＵＲチャネル６０１〜６０４ごとのチャネル品質報告を送ることができる。チャネル品質報告は、各ＷＵＲチャネル６０１〜６０４に対して測定されたＳＮＲ、ＳＩＮＲ、またはＲＳＳＩを含むことができる。
【００８８】
ＳＴＡ６０８は、（主無線を介して）主チャネル６０５上でＡＰ６０６からのＷＵＲ応答フレーム６１２を検出し、受信することができる。一例では、ＷＵＲ応答フレーム６１２は、ＷＵＲ要求フレーム６１０の後のＩＦＳ（たとえば、ｘＩＦＳ）時間受信されることができる。ＷＵＲ応答フレーム６１２は、ＳＴＡ６０８にＷＵＲチャネルホッピングパターンを示すことができる。一例では、ＷＵＲチャネルホッピングパターン中の第１のＷＵＲチャネル（たとえば、ＷＵＲチャネル６０１）が、監視すべき第１のＷＵＲチャネルとしてＳＴＡ６０８に使用されることができる。ＷＵＲチャネルホッピングパターンは、ＡＰ６０６によって動作されるすべての利用可能なＷＵＲチャネルを経ることができる。たとえば、ＡＰは、４つのＷＵＲチャネル６０１〜６０４を動作させることができ、ホッピングパターンは［６０１，６０４，６０３，６０２］としてホッピング順序を示すことができる。別の例では、ＷＵＲチャネルホッピングパターンは、ＷＵＲチャネル６０１〜６０４の選択されたサブセットを経ることができる。たとえば、ホッピングパターンは、［６０１，６０４，６０３］になることができ、したがって、ＷＵＲチャネル６０２は、ＳＴＡ６０８によって使用されないことがある。ＷＵＲチャネルのダウン選択は、ＷＵＲチャネル品質報告と各ＷＵＲチャネル６０１〜６０４上のユーザ密度とに依存し得る。ＷＵＲチャネル品質報告は、ＳＴＡ６０８からＡＰ６０６に明示的に与えられることができるか、または双方向通信を通して暗黙的に取得されることができる。
【００８９】
ＷＵＲ応答フレーム６１２は、開始ＷＵＲチャネルを示すことができ、これは、ＡＰ６０６とＳＴＡ６０８との間でのＷＵＲ要求／応答交換の後にＳＴＡ６０８が切り替えるＷＵＲチャネルを示すフィールドであることができる。一例では、開始ＷＵＲチャネルフィールドは、ＷＵＲ応答フレーム６１２中に含まれないことがあり、ＷＵＲ開始チャネルは、ＷＵＲチャネルホッピングパターンから決定されることができる。ＷＵＲ応答フレーム６１２は、ＷＵＲホッピングの周期またはＷＵＲホッピング持続時間（ＴCH）を示すことができる。ＷＵＲホッピングの周期または持続時間フィールドは、ＳＴＡ６０８がＷＵＲチャネルを監視する（オンのままである）時間持続時間を示すことができる。ＷＵＲ応答フレーム６１２は、ＷＵＲ開始時間を示すことができる。ＷＵＲ開始時間フィールドは、ＳＴＡ６０８がＷＵＲチャネルに切り替えなければならない時間を示すことができる。たとえば、ＷＵＲ開始時間は、ＷＵＲビーコン／同期フレームの前のｘ＿ｄｕｒａｔｉｏｎに設定されることができ、ここで、ｘ＿ｄｕｒａｔｉｏｎは、ＳＴＡ６０８が主無線からＷＵＲ無線に切り替えることを許容する短い持続時間であることができる。ＷＵＲ応答フレーム６１２は、ＷＵＲビーコン間隔または同期信号の周期（ＴBI）を示すことができる。ＷＵＲ応答フレーム６１２は、最大監視持続時間（最大モニタリング期間）を示すことができる。最大監視持続時間フィールドは、ビーコン間隔（ＢＩ）またはホッピング間隔（ＨＩ）の単位であることができる。一例では、最大監視持続時間（最大モニタリング期間）は、ＷＵＲチャネル候補（たとえば、ＷＵＲチャネル６０１〜６０４）のすべてにわたりチャネルホッピングをカバーするのに十分長くなることができる。ＷＵＲ応答フレーム６１２は、ＳＴＡ６０８に割り当てられた（たとえば、ＷＵＲチャネル６０１のための）ＷＵＲ  ＳＴＡ  ＩＤを示すことができる。
【００９０】
ＳＴＡ６０８は、主チャネル６０５を介してＷＵＲシグナリングフレーム６１４を送信することができ、これは、ＷＵＲ応答フレーム６１２の受信を示すことができ、ＳＴＡ６０８がＷＵＲシグナリングフレーム６１４を送信した後に主無線からＷＵＲに切り替えていることを示すことができる。一例では、ＳＴＡ６０８は、ＷＵＲ応答フレーム６１２を受信した後にＷＵＲシグナリングフレーム６１４ＩＦＳ時間（たとえば、ｙＩＦＳ）を送信することができる。図示しない一例では、ＳＴＡ６０８は、ＷＵＲ要求フレーム６１０とＷＵＲ応答フレーム６１２とが交換されるＴＸＯＰとは別個のＴＸＯＰ中でＷＵＲシグナリングフレーム６１４を送信することができる。ＷＵＲシグナリングフレーム６１４は、ＳＴＡ６０８がＷＵＲシグナリングフレーム６１４の送信の終了から主無線をオフに切り替えることのインジケーションを含むことができる。ＷＵＲシグナリングフレーム６１４は、ＳＴＡ６０８がＷＵＲ開始時間としてＡＰ６０６によって示された時間に主無線をオフに切り替えることになることのインジケーションを含むことができる。ＷＵＲシグナリングフレーム６１４は、ＳＴＡ６０８がＷＵＲシグナリングフレーム６１４の送信の終了からＷＵＲをオンに切り替えることのインジケーションを含むことができる。ＷＵＲシグナリングフレーム６１４は、ＳＴＡ６０８がＷＵＲ開始時間としてＡＰ６０８によって示された時間に主無線をオフに切り替えることのインジケーションを含むことができる。ＷＵＲシグナリングフレーム６１４は、ＳＴＡ６０８が動作することになる（たとえば、ＷＵＲチャネル６０１のための）チャネルのＷＵＲチャネルインデックスおよび／またはＷＵＲチャネルＩＤを含むことができる。
【００９１】
ＷＵＲシグナリング６１４に続いて、ＳＴＡ６０８は、（たとえば、ＷＵＲシグナリングフレーム６１４の送信の終了から、またはＷＵＲ開始時間としてＡＰ６０８によって示された時間に）ＷＵＲをオンに切り替えることができ、および／または主無線をオフに切り替えることができる。ＳＴＡ６０８は、ＷＵＲ  ＨＩ６１７の間ＷＵＲチャネルホッピングリスト上のＷＵＲチャネル（たとえば、ＷＵＲチャネル６０１）を監視することができる６１６。ＳＴＡ６０８が、ＷＵＲ  ＨＩ６１７中に１つまたは複数のＷＵＲビーコン／同期フレームを観測する場合、ＳＴＡ６０８は、ＷＵＲビーコン／同期フレームにおいて定義されているタイミング同期機能（ＴＳＦ）または部分ＴＳＦに基づいてそれのタイマを調整することができる。ＷＵＲパケット（たとえば、ＷＵＲビーコン／同期フレーム）が２つのＨＩ（たとえば、ＨＩ６１７およびＨＩ６２５）の境界中に到着する場合、ＳＴＡ６０８は、それが現在監視しているＷＵＲチャネル（たとえば、ＷＵＲチャネル６０１）を介してＷＵＲパケットを受信し続けることができ、次いで、ＷＵＲパケットの受信後に次のＷＵＲチャネル（たとえば、ＨＩ６２５中にＷＵＲチャネル６０４）に切り替えることができる。これは、チャネルホッピング中に遅延を生じることがあるが、遅延は、ＨＩ区分に影響を及ぼさないことがある。一例では、ＷＵＲチャネルホッピング間隔ＨＩのための開始時間ｔ（たとえば、ＨＩ６１７およびＨＩ６２５のための開始時間）は、式１によって定義されることができる。
【００９２】
例示的なＷＵＲチャネルホッピング手順６００では、ＳＴＡ６０８は、ＨＩ６１７中にＷＵＲチャネル６０１を監視することができ、次いで、ＳＴＡ６０８は、ＷＵＲチャネルホッピングパターンによって定義されているように次のＷＵＲチャネル６０４にホッピングすることができる。ＳＴＡ６０８が、ＷＵＲチャネル６０２へのホッピングを完了すると、ＳＴＡ６０８は、（たとえば、最大監視持続時間に等しくなることができる）持続時間ＨＩ６２５の間ＷＵＲチャネル６０４を監視することができ６２２、ＨＩ６２５中にＡＰ４０６からウェイクアップＳＴＡフレーム６２４を受信することができる。一例では、ウェイクアップＳＴＡフレーム６２４がＨＩ６２５の時間境界を交差することが予想される場合、ウェイクアップＳＴＡフレーム６２４は、現在のＨＩ６２５中に適合するように切り捨てられることができる。図示しない一例では、ＳＴＡ６０８が、ＨＩ６２５中の最大監視持続時間中にいかなる有効な送信も受信しない場合、ＳＴＡ６０８は、それの主無線をオンに切り替え、および／またはＡＰ６０６とは異なる新しいＡＰに関連付けることができる。
【００９３】
図７は、別の例示的なＷＵＲチャネルホッピング手順７００のシグナリング図である。例示的なＷＵＲチャネルホッピング手順７００は、例示的なＷＵＲチャネルホッピング手順６００と同様に動作することができる；特に、ＷＵＲチャネルセットアップ期間７１５、ＷＵＲ要求７１０／応答７１２交換、ＷＵＲシグナリング７１４、持続時間／ＨＩ７１７のためのＷＵＲチャネル７０１上のＷＵＲチャネル監視７１６、持続時間／ＨＩ７２５のためのＷＵＲチャネル７０４上のＷＵＲチャネル監視７２２、およびウェイクアップＳＴＡパケット７２４をＳＴＡ７０８に送るＡＰ７０６は、図６の例示的なＷＵＲチャネルホッピング手順６００において説明された均等なシグナリングおよび監視と同様とすることができる。しかしながら、図７の例示的なＷＵＲチャネルホッピング手順７００は、ＷＵＲ切替えシグナリング７２８を送信し、次いで、次のＷＵＲチャネル７０４に切り替えて戻るために、ＳＴＡ７０８がＨＩ７１７とＨＩ７２５との間で主無線および主チャネル７０５に切り替えることができるステップをさらに含むことができる。たとえば、ＷＵＲ切替え信号７２８は、そのＷＵＲチャネルを切り替え中であるＳＴＡ７０８のためのＳＴＡ  ＩＤを含むことができ、および／または、ＳＴＡ７０８のための次のＷＵＲチャネル（たとえば、ＷＵＲチャネル７０４）を示すことができる。図示しない例では、ＳＴＡ７０８は、ＨＩ７１７における最後の時間スロット内で使用されたＷＵＲチャネル７０１上でＷＵＲ切替えシグナリング７２８を送信することができる。図示しない別の例では、ＳＴＡ７０８は、次のＷＵＲチャネル７０４に切り替えて、次のＨＩ７２５の始めにおいて次のＷＵＲチャネル７０４上でＷＵＲ切替え信号７２８を送信することができる。
【００９４】
図６および図７のＷＵＲチャネルホッピング手順６００および７００の両方においては、ＳＴＡ駆動型のＷＵＲ要求／応答交換が示されたが、本明細書において開示されるような、ＡＰ駆動型のＷＵＲネゴシエーション交換も、使用されることができる。ＷＵＲチャネルホッピングおよび再送信について、ＡＰは、ＷＵＲチャネルのうちの１つ上でＳＴＡにＷＵＲパケットを送信することができる。ＷＵＲパケット送信が成功しなかったとＡＰが決定する場合、ＡＰは、ＷＵＲパケット再送信を保留し、パケットを再送信する前にチャネルホッピングを待つことができる。ＡＰは、ＳＴＡが別のＷＵＲチャネルへホッピングした後に、ＷＵＲ再送信を実行することができる。
【００９５】
例示的なＷＵＲ送信手順は、１次ＷＵＲチャネルを採用することができる。たとえば、１次ＷＵＲチャネルは、利用可能なＷＵＲチャネルの中から定義され、または選択されることができ、ビーコン／同期信号は、１次ＷＵＲチャネル上で送信されることができる。図８は、ＷＵＲチャネル８０１が１次チャネルとして機能する、例示的なＷＵＲ送信手順８００のシグナリング図である。ＷＵＲ送信手順８００は、ＳＴＡ８０８がＷＵＲ要求フレーム８１０を主動作無線および主チャネル８０５上でその関連付けられたＡＰ８０６に送信して、主チャネル８０５上でドーズモードに入り（すなわち、主無線ＰＣＲをオフにすることにより）、少なくとも１つのＷＵＲチャネル８０１〜８０４上で監視を開始することというＳＴＡ８０８の意図を示すことから始めることができる。ＷＵＲ要求フレーム８１０は、複数のＷＵＲチャネル８０１〜８０４のうちのＳＴＡ８０８の選好（preference）を示すことができる。たとえば、ＳＴＡ８０８は、好適なＷＵＲチャネルインデックス、選好順のＷＵＲチャネルリスト、および／または各ＷＵＲチャネル８０１〜８０８についてのチャネル品質レポートを送ることができる。チャネル品質は、各ＷＵＲから測定されたＳＮＲ、ＳＩＮＲ、および／または（たとえば、１次チャネル上の）ＲＳＳＩとすることができる。
【００９６】
ＳＴＡ８０８は、（主無線を介して）主チャネル８０５上でＡＰ８０６からＷＵＲ応答フレーム８１２を検出し、受信することができる。一例では、ＷＵＲ応答フレーム８１２は、ＷＵＲ要求フレーム８１０後のＩＦＳ（たとえば、ｘＩＦＳ）時間に受信されることができる。ＷＵＲ応答フレーム８１２は、たとえばＷＵＲチャネルインデックスまたはＷＵＲチャネルＩＤによって、１次ＷＵＲチャネル（たとえば、ＷＵＲチャネル８０１）を示すことができる。ＷＵＲ応答フレーム８１２は、ＳＴＡ８０８に対して、以下の情報のうちのいずれか１つまたは複数を示すことができる：割り当てられたＷＵＲチャネル（たとえば、ＷＵＲチャネル８０４）；ＳＴＡ８０８がＷＵＲに切り替えることができる時間を示すＷＵＲ開始時間（たとえば、ＷＵＲビーコン／同期フレーム前のｘ＿ｄｕｒａｔｉｏｎ、ただし、ｘ＿ｄｕｒａｔｉｏｎは、ＳＴＡ８０８が主無線からＷＵＲ無線に切り替わることを許容する短い持続時間とすることができる）；他の動作ＷＵＲチャネル；ＷＵＲビーコン間隔もしくは同期信号の周期；および／またはＳＴＡ８０８が主無線に戻る前の最大監視持続時間（最大モニタリング期間）。最大監視方向について、ＳＴＡ８０８が最大監視持続時間中にいかなる有効なＷＵＲ送信も観測しない場合、ＳＴＡ８０８は、主無線（ＰＣＲ）に切り替えて戻るようとすることができる。最大監視持続時間（最大モニタリング期間）は、予め決定されることができ、ＡＰ８０６によってシグナリングされないことがある。
【００９７】
ＳＴＡ８０８は、主チャネル８０５上でＷＵＲシグナリングフレーム８１４を送信することができ、これは、ＷＵＲ応答フレーム８１２の受信を示すことができ、ＳＴＡ８０８がＷＵＲシグナリングフレーム８１４を送信した後に、主無線からＷＵＲに切り替え中であることを示すことができる。一例では、ＳＴＡ８０８は、ＷＵＲ応答フレーム８１２を受信した後に、ＷＵＲシグナリングフレーム８１４を一定の数のＩＦＳ時間に送信することができる。図示しない例では、ＳＴＡ８０８は、ＷＵＲ要求／応答交換ＴＸＯＰとは別個のＴＸＯＰ内でＷＵＲシグナリングフレーム８１４を送信することができる。ＷＵＲシグナリングフレーム８１４は、ＷＵＲシグナリングフレーム８１４の送信の終了から、ＳＴＡ８０８が主無線をオフに切り替えることのインジケーションを含むことができる。ＷＵＲシグナリングフレーム８１４は、ＡＰ８０６によってＷＵＲ開始時間として示される時間に、ＳＴＡ８０８が主無線をオフに切り替えることのインジケーションを含むことができる。ＷＵＲシグナリングフレーム８１４は、ＷＵＲシグナリングフレーム８１４の送信の終了から、ＳＴＡ８０８がＷＵＲをオンに切り替えるためのインジケーションを含むことができる。ＷＵＲシグナリングフレーム８１４は、ＡＰ８０６によってＷＵＲ開始時間として示される時間に、ＳＴＡ４０８が主無線をオフに切り替えるためのインジケーションを含むことができる。ＷＵＲシグナリングフレーム８１４は、ＳＴＡ８０８が（たとえば、ＷＵＲチャネル８０１のために）動作するチャネルのＷＵＲチャネルインデックスおよび／またはＷＵＲチャネルＩＤを含むことができる。
【００９８】
ＷＵＲシグナリング８１４に続いて、ＳＴＡ８０８は、（たとえば、ＷＵＲシグナリングフレーム８１４の送信の終了から、またはＡＰ８０６によってＷＵＲ開始時間として示される時間に）ＷＵＲをオンに切り替えること、および／または主無線をオフに切り替えることができる。ＳＴＡ８０８は、ＷＵＲ１次チャネル８０１を監視する（モニター）ことができる８１６。ＷＵＲ１次チャネル８０１を介して送信されたビーコン／同期信号８１８を検出した後に、ＳＴＡ８０８は、（たとえば、ビーコン／同期信号８１８もしくはＷＵＲ応答フレーム８１２において与えられていた可能性があるＷＵＲチャネル割当て要素またはフィールドから）ＷＵＲグループを決定することができる。ＳＴＡ８０８は、その割り当てられたＷＵＲチャネル（たとえば、ＷＵＲチャネル８０３）を、ＳＴＡ  ＩＤからＷＵＲチャネルインデックス（またはＩＤ）へのマッピングを含む、ビーコン／同期信号８１８および／またはＷＵＲ応答フレーム８１２における要素／フィールドを検査することによって決定することができる。割り当てられたＷＵＲチャネル８０３を決定した後に、ＳＴＡ８０８は、ＷＵＲビーコン／同期信号８１８の受信後の、割り当てられたＷＵＲチャネル８０３を監視する（モニター）ことができる８２０。
【００９９】
ＳＴＡ８０８は、ＷＵＲ  ＢＩ８２５の境界の前のｘ＿ｄｕｒａｔｉｏｎの間、ＷＵＲ１次チャネル８０１へ切り替えて戻ることができる。ＳＴＡ８０８は、ＷＵＲ１次チャネル８０１を監視し８２４、ＷＵＲ１次チャネル８０１を介して送信されるビーコン／同期信号８２２を検出することができる。ＳＴＡ８０８は、その割り当てられたＷＵＲチャネル（たとえば、ＷＵＲチャネル８０４）を、ＳＴＡ  ＩＤからＷＵＲチャネルインデックス（またはＩＤ）へのマッピングを含む（たとえば、ビーコン／同期信号８１８および／または８２２における）要素／フィールドを検査することによって決定することができる。次の割り当てられたＷＵＲチャネル８０４を決定した後に、ＳＴＡ８０８は、ＷＵＲビーコン／同期信号８２２の受信後の、割り当てられたＷＵＲチャネル８０４を監視する（モニター）ことができ８２６、ＢＩ８２５中にＡＰ８０６からウェイクアップＳＴＡフレーム８２８を受信することができる。図示しない一例では、ＳＴＡ８０８が、最大監視持続時間（最大モニタリング期間）／ＢＩ８２５中に１次ＷＵＲチャネル８０１上でＷＵＲビーコン／同期信号を観測しない場合、ＳＴＡ８０８は、主無線に切り替えて戻ることができる。ＳＴＡ８０８は、ＷＵＲレポートフレームを再送信することができ、これは、ＳＴＡ８０８が現在の１次ＷＵＲチャネル８０１を介してＷＵＲビーコン／同期信号を受信することができなかったことを示すことができる。図示しない別の例では、ＳＴＡ８０８のためのＷＵＲチャネル割当ては、ＳＴＡ８０８が１次ＷＵＲチャネル８０１を介したＷＵＲビーコン／同期信号を監視して、接続性を確認し、タイミング情報を捕捉するように、主チャネル８０５を介したＷＵＲセットアップ（再）ネゴシエーションを使用して実行されることができる。
【０１００】
一例では、ＷＵＲ送信は、考え得るリソースユニット（ＲＵ）および／またはサブチャネルのより大きなセットの中からの、ＷＵＲチャネルのサブセットを伴うことができる。ＡＰは、ＲＵ（および／またはサブチャネル）のサブセットを、ＡＰのＢＳＳのためのＷＵＲチャネル（これは、ＷＵＲ  ＢＳＳと呼ばれることがある）として定義することができる。たとえば、ＡＰのＢＳＳの１次チャネルにおけるＲＵのサブセットは、ＡＰのＢＳＳのためのＷＵＲチャネルのセットとして定義されることができる。別の例では、ＡＰの動作チャネルのＲＵ（および／またはサブチャネル）のサブセットは、ＢＳＳのためのＷＵＲチャネルのセットと考えることができる。ＲＵおよび／またはサブチャネルのサブセットは、ＷＵＲチャネルの各々上での相関するフェージングを最小化するように選ばれることができる。たとえば、ＷＵＲチャネルが４ＭＨｚの幅である場合、２０ＭＨｚの１次チャネル内のサブチャネル１およびサブチャネル３は、ＢＳＳのためのＷＵＲチャネルのセットと考えることができる。別の例では、４０ＭＨｚの１次チャネル内のサブチャネル１、サブチャネル３、チャネル５およびチャネル７は、ＢＳＳのためのＷＵＲチャネルのセットと考えることができる。一例では、ＷＵＲチャネルのセットは、ビットマップを使用して、ＡＰによってＳＴＡに対して示されることができる。一例では、ＷＵＲチャネルのセットのインジケーションは、ＷＵＲチャネル幅のインジケーション、および／または１次チャネルに関する開始周波数もしくはオフセットのインジケーションをさらに含むことができる。
【０１０１】
ＷＵＲチャネルのセットのインジケーションは、情報要素（ＩＥ）に、たとえば、管理、制御、データ、拡張、またはヌルデータパケット（ＮＤＰ）フレームに含まれることができる。たとえば、ＷＵＲチャネルセットインジケーションは、（短い）ビーコンフレーム、プローブ応答フレーム、（再）関連付け応答フレーム、および／または高速初期リンクセットアップ（ＦＩＬＳ：fast initial link setup）発見フレームにおいて与えられることができる。ＷＵＲチャネルセットインジケーションは、ウェイクアップＳＴＡ要求および／またはウェイクアップＳＴＡ応答フレームに含まれることができる。
【０１０２】
ＷＵＲチャネルセットインジケーションおよびＷＵＲチャネル変更手順は、ＷＵＲチャネルセットを決定し、ＷＵＲチャネルセットにおける（たとえば、ＡＰの１次チャネルおよび／またはそれの動作中のチャネルからの）１つまたは複数のサブチャネル／ＲＵを含むＡＰを含むことができる。たとえば、ＡＰは、ＳＴＡに対して、（短い）ビーコン、プローブ応答、（再）関連付け応答、および／または高速初期リンクセットアップ（ＦＩＬＳ）発見フレームにおいてＷＵＲチャネルセットを示すことができる。ＳＴＡは、ＳＴＡがスリープ状態になること（すなわち、そのＰＣＲを電源切断（オフ）し、それのＷＵＲをオンにすること）に先立って、ＡＰに対してＷＵＲ要求フレームを送ることができる。ＷＵＲ要求フレームは、ＳＴＡのための１つまたは複数の好適なＷＵＲチャネルのセットを含むことができる。好適なＷＵＲチャネルセットは、ＡＰによってアドバタイズされたＷＵＲチャネルセットに基づいて決定されることができ、ＷＵＲチャネルセットのサブセットとすることができる。一例では、ＳＴＡによって送られた好適なＷＵＲチャネルセットは、ＷＵＲチャネル上でＳＴＡによって行われた測定値（たとえば、ＳＮＲ、ＳＩＮＲ、ＲＳＳＩ）に基づいた選好インデックス（a preference index）を含むことができる。
【０１０３】
ＷＵＲチャネル変更手順は、ＡＰが、ＳＴＡから好適なＷＵＲチャネルセットを受信した後、ＷＵＲ応答フレームによりＳＴＡに応答することを含むことができる。ＷＵＲ応答フレームは、ＳＴＡによって送られた好適なＷＵＲチャネルセットと同じであるか、または同じでないことがある好適なＷＵＲチャネルセットを含むことができる。ＷＵＲ応答フレームを受信した後に、ＳＴＡは、ドーズ状態になり（ＰＣＲをオフにし、ＷＵＲをオンにする）、合意されたＷＵＲチャネルセットのうちの１つまたは複数を監視する（モニター）ことができる。たとえば、ＳＴＡは、好適なＷＵＲチャネルセットのみを監視することができ、これは、ＡＰおよびＳＴＡによって合意されるか、またはＡＰによって示されることがある。ＡＰは、ＡＰがアドバタイズした、および／またはＷＵＲチャネルを現在監視しているＡＰに関連付けられたＳＴＰと合意した、ＷＵＲチャネルセットにおけるＷＵＲチャネルのうちの１つまたは複数上で、ＷＵＲビーコン／同期信号を規則的に送信することができる。ＡＰは、アドバタイズされた、または合意されたＷＵＲチャネルセットの一部であるすべてのＷＵＲチャネル（たとえば、サブチャネル）上でＷＵＲビーコン／同期信号を送信することができる。ＡＰによるＷＵＲビーコン／同期信号のこれらの送信は、同時にすることも、またはずらすこともできる。
【０１０４】
ＷＵＲチャネル変更手順は、ＳＴＡが、所定の時間間隔（たとえば、Ｍａｘ＿Ｍｉｓｓｅｄ＿ＷＵＲ＿Ｂｅａｃｏｎ＿Ｉｎｔｅｒｖａｌ持続時間）の間、いかなるＷＵＲビーコン／同期信号も検出しなかった後に、合意されたＷＵＲチャネルセット内の次の好適なＷＵＲチャネル（たとえば、サブチャネル）に切り替えることを含むことができる。ＳＴＡが、所定の間隔内に現在のＷＵＲチャネル上でＷＵＲビーコン／同期信号を検出した場合、ＳＴＡは、同じＷＵＲチャネルを監視し続けることができる。ＳＴＡは、ＷＵＲパケットおよび／またはＰＣＲパケットを送って、その新しいＷＵＲチャネルのＡＰに警告することができる。ＷＵＲパケットは、この目的のために、ＷＵＲチャネルインデックス、ならびにＳＴＡの識別子およびＡＰのための識別子を単に含むことができる。ＷＵＲビーコン／同期信号を検出することができない場合、ＳＴＡは、合意されたＷＵＲチャネルセットの一部である次の好適なＷＵＲチャネルへ切り替えることができる。ＳＴＡが、合意されたＷＵＲチャネルセットの一部である１つまたは複数のＷＵＲチャネル上でＷＵＲビーコン／同期信号を検出することができなかった場合、ＳＴＡは、その１次無線をオンにし、ＡＰとＷＵＲチャネルセットを再ネゴシエーションすることができ、ＷＵＲチャネルセットは、１つまたは複数のサブチャネルまたはＲＵを含むことができる。
【０１０５】
いくつかのシナリオでは、ＳＴＡは、ＡＰによるＷＵＲチャネルサウンディングを要求することができる。たとえば、ＳＴＡは、ＷＵＲチャネルセットのアドバタイズされたＷＵＲチャネル（たとえば、サブチャネル）のいずれかがＳＴＡに適していない場合、ＡＰに対して、ＷＵＲチャネルサウンディングを実行するように要求することができる。ＷＵＲチャネルサウンディングの一部として、ＡＰは、ＮＤＰフレームおよび／またはＷＵＲサウンディングフレームを、１つもしくは複数のまたは全部の利用可能なＷＵＲチャネルを介して、同時にまたは連続的に送信することができる。ＳＴＡは、ＡＰによって送信され、ＳＴＡによって受信されたＷＵＲサウンディングフレームに基づいて、フィードバックを与えることができる。ＡＰは、ＳＴＡのためのアドバタイズされたＷＵＲチャネルセットを調整することができ、および／または、ＳＴＡは、（たとえば、ＷＵＲ要求／応答フレーム交換シーケンスを使用して）新しい合意されたＷＵＲチャネルセットをＡＰと再ネゴシエートすることができる。一例では、ＳＴＡからＡＰに送られるＷＵＲ要求フレームは、ＷＵＲチャネルについてのサウンディング要求を含むことができる。
【０１０６】
ＷＵＲ送信のための手順は、ＷＵＲトリガフレームの使用を含むことができる。ＷＵＲトリガフレームの下記の説明は、ＷＵＲ応答フレームに適用することができ、または、本明細書において説明されるＷＵＲ応答フレームは、ＷＵＲトリガフレームとすることができる。ＡＰは、ＷＵＲトリガフレーム（またはＷＵＲ応答フレーム）を送信することができ、これは、ＷＵＲチャネル動作および割当てに関する情報を搬送することができる。ＡＰは、主無線を介してＷＵＲトリガフレームを送信することができる。一例では、ＷＵＲトリガフレームは、１つのＳＴＡに対するユニキャストフレームとすることができる。別の例では、ＷＵＲトリガフレームは、２つ以上のＳＴＡに対するブロードキャストフレームまたはマルチキャストフレームとすることができる。マルチキャストフレームの場合、ＷＵＲトリガフレームは、トリガフレームフォーマットを有することができ、「ＷＵＲトリガ」タイプに設定されることができる（たとえば、共通情報フィールド内に）トリガタイプフィールド／値を含むことができる。ＷＵＲトリガフレームフォーマット（これはＷＵＲ応答フレームフォーマットでもあることがある）の一例は、表１に示される。
【０１０７】
【表１】
2020519176.tif 000003
【０１０８】
ＷＵＲトリガフレーム（または応答フレーム）フォーマットに含まれることができるフィールドは、以下のフィールドを含むが、これらに限定されない：フレームタイプがＷＵＲトリガフレームであることを示すことができるフレーム制御フィールド；ＴＸＯＰの持続時間を示すことができる持続時間フィールド；受信機アドレス（ＲＡ：receiver address）フィールド；送信機アドレス（ＴＡ：transmitter address）フィールド；共通情報（情報）フィールド；１つもしくは複数のユーザ情報フィールド；パディング；および／または巡回冗長検査のためのフレーム検査シーケンス（ＦＣＳ）フィールド。ＲＡフィールドは、ＷＵＲトリガフレームを受信するＳＴＡのアドレスとすることができ、（たとえば、複数のＳＴＡについての）グループＭＡＣアドレスとすることができる。ＴＡフィールドは、ＷＵＲトリガフレームを送信するＡＰ／ＳＴＡのアドレスを含むことができる。共通情報フィールドは、以下の例示的なサブフィールドのうちのいずれか１つまたは複数を含むことができる。たとえば、共通情報フィールドは、ＷＵＲ動作チャネルフィールドおよび／またはＷＵＲ１次動作チャネルフィールドを含むことができる。共通情報フィールドは、ＷＵＲビーコン／同期モードフィールドを含むことができ、これは、ＷＵＲビーコン／同期信号が各ＷＵＲチャネルまたは１次ＷＵＲチャネルを介して送信されるかどうかを示すことができる。共通情報フィールドは、ＷＵＲビーコン間隔または同期信号間隔フィールドを含むことができ、これは、ＷＵＲ同期信号の周期を定義することができる。共通情報フィールドは、ＷＵＲビーコンオフセットを含むことができ、これは、同じＡＰによって動作させられる複数のＷＵＲチャネルにわたって一定のオフセットが適用されることができるかどうかを示すことができる（たとえば、これは、ＷＵＲビーコン／同期信号が各ＷＵＲチャネルを介して送信されるシナリオにおいて使用されることができる）。共通情報フィールドは、ＷＵＲチャネル切替え許容フィールドを含むことができ、これは、ＷＵＲチャネル切替えが許容されるかどうかを示すことができる。共通情報フィールドは、ＷＵＲチャネルホッピング許容フィールドを含むことができ、これは、ＷＵＲチャネルホッピングが許容されるかどうかを示すことができる。一例では、ＷＵＲチャネル切替え許容フィールドおよび／またはＷＵＲチャネルホッピング許容フィールドは、ＷＵＲトリガフレームのユーザ情報フィールドに含まれることができる。共通情報フィールドは、最大監視持続時間を含むことができ、最大監視持続時間（最大モニタリング期間）は、異なるＷＵＲチャネルに切り替える前もしくはホッピングする前に、または主無線に切り替える前に、ＳＴＡがＷＵＲチャネルを監視する（モニター）ことができる最大持続時間とすることができる。
【０１０９】
ユーザ情報フィールドは各々、以下の例示的なサブフィールドのうちのいずれか１つまたは複数を含むことができる。たとえば、ユーザ情報フィールドは、関連付け識別子（ＡＩＤ）またはＷＵＲ  ＢＳＳ内のＳＴＡを識別するＷＵＲ＿ＩＤを含むことができる。ユーザ情報フィールドは、ＷＵＲチャネル割当てフィールド、ＷＵＲチャネルホッピングパターンフィールド、および／またはＷＵＲ開始時間フィールドを含むことができる。ＷＵＲ開始時間フィールドは、ＳＴＡがＷＵＲに切り替えることができる時間を示すことができる（たとえば、開始時間は、ＷＵＲビーコン／同期フレームの前のｘ＿ｄｕｒａｔｉｏｎに設定されることができ、ただし、ｘ＿ｄｕｒａｔｉｏｎは、ＳＴＡが主無線からＷＵＲに切り替えることを許容する短い持続時間とすることができる）。
【０１１０】
いくつかのシナリオでは、上述したような、ＡＰとＳＴＡとの間の完全なＷＵＲネゴシエーション手順は、使用されない、または必要とされないことがあり、代わりに、下記において説明されるように、ショートＷＵＲネゴシエーション手順（または、ショートＷＵＲネゴシエーションシグナリング）が使用されることができる。たとえば、ＷＵＲチャネル切替え動作により、ＡＰおよびＳＴＡは、ＳＴＡがＷＵＲモードに入る前に（すなわち、ＳＴＡが主無線／主チャネル上にある間に）、ＷＵＲチャネルの使用およびＷＵＲチャネルのための設定をネゴシエートすることができる。ＳＴＡが、ＷＵＲおよび主無線がオフにされた状態で動作するＷＵＲモード（すなわち、スリープモード）になると、ＳＴＡは、その主無線をウェイクアップさせ、主無線／主チャネル上で間隔を空けて送信して、他のＷＵＲチャネルへの切替えを要求することができる。これらの場合において、ＡＰおよびＳＴＡは、ＷＵＲチャネルの使用および／または設定を再ネゴシエートせずに、単に、ＷＵＲチャネル切替えのために次のＷＵＲチャネルに関して通信することができる。したがって、このシナリオにおいてＡＰとＳＴＡとの間で交換される情報は、初期のＷＵＲセットアップネゴシエーションに含まれるパラメータのサブセットのみが交換され、ショートＷＵＲネゴシエーションが使用されることができるように、「短い」ものとすることができる。同様に、チャネルホッピング手順および他のＷＵＲネゴシエーション手順は、下記に説明されるように、ショートＷＵＲネゴシエーションを使用することができる。
【０１１１】
一例では、トリガフレームは、複数のＳＴＡ（マルチＳＴＡ）をトリガして、ショートＷＵＲシグナリングを送信するために使用されることができる。別の例では、ＳＴＡは、ショートＷＵＲシグナリングを送信することができ、ＡＰは、ＡＰがトリガフレームを送るか送らないかに関わらず、ショートＷＵＲシグナリングに返答するか、または応答することができる。その結果、ＳＴＡは、ショートＷＵＲシグナリングを使用して再ネゴシエートされた更新済みのＷＵＲ設定を使用して、ＷＵＲモードに戻ることができる。
【０１１２】
図９は、ショートＷＵＲアクションフレームを使用する、例示的なショートＷＵＲネゴシエーション手順９００のシグナリング図である。ＡＰ９０６およびＳＴＡ９０８は、たとえば、ＷＵＲ要求フレーム９１０、ＷＵＲ応答フレーム９１２および／またはＷＵＲシグナリングフレーム９１４の交換を介して、ＷＵＲチャネルセットアップ期間９１５中にＷＵＲセットアップ情報をネゴシエートし、交換することができる。ＷＵＲセットアップ情報は、以下の情報のいずれかを含むことができるが、これらを含むように限定されない：ＷＵＲビーコン／同期情報、ＷＵＲデューティサイクル情報、ＷＵＲチャネル情報、ＷＵＲデータレート情報、および／またはショートＷＵＲネゴシエーション情報。ショートＷＵＲネゴシエーション情報は、更新済みのＷＵＲセットアップ情報を受信するために、ＳＴＡ９０８がそのＰＣＲを一時的にオンに切り替える場合、ＷＵＲ手順における期間中に、ＳＴＡ９０８および／またはＡＰ９０６が主無線（ＰＣＲ）を介してショートＷＵＲアクションフレームを送信することができることを示すことができる。
【０１１３】
ＷＵＲセットアップ情報に基づいて、ＳＴＡ９０８は、期間９１７中にＷＵＲチャネル９０１（または複数のＷＵＲチャネル）に切り替えて、ＷＵＲチャネル９０１上でＡＰ９０６から送信されたＷＵＲビーコンフレームおよび／またはウェイクアップパケットを監視することができる９１６。ＳＴＡ９０８は、間隔９１７中にＡＰから信号（たとえば、ウェイクアップＳＴＡフレーム９１８）を受信しないことがある。ＳＴＡ９０８は、ＷＵＲデューティサイクルセットアップに従い、ＷＵＲデューティオン期間とＷＵＲディーティオフ期間との間で周期的に切り替えて、電力をさらに節約することができる。たとえば、ＳＴＡ９０８がＷＵＲデューティオフモードにある場合、ＳＴＡ９０８は、（たとえば、主無線がオフであることに加えて、ＷＵＲをオフにすることによって）ＷＵＲチャネル９０１を監視せずに、より多くの電力を節約することができ、または、ＳＴＡは、ＷＵＲチャネル９０１をＷＵＲビーコン／同期フレームのみについて監視する（ウェイクアップＳＴＡフレームなどの、他のフレームは監視しない）ことができる。ＳＴＡ９０８がＷＵＲデューティオンモードにある場合、ＳＴＡは、ＷＵＲチャネル９０１上の任意のフレームを監視する（モニター）ことができる。
【０１１４】
ＳＴＡ９０８は、以下の例示的なシナリオのいずれかにおいて、ＷＵＲ動作中に、たとえば、時間期間９２０中に、主無線に切り替えて、主チャネル４０５を監視する（モニター）ことができる。例示的なシナリオにおいて、ＳＴＡ９０８は、期間９１７中にＷＵＲチャネル９０１上で最後に受信されたパケットについてのタイマを維持することができる。タイマが（たとえば、／予め特定された／ネゴシエートされたような）最大監視持続時間を越える場合、ＳＴＡ９０８は、その主無線をウェイクアップさせ、主チャネル４０５に切り替えることができる。別の例示的なシナリオにおいて、ＳＴＡ９０８は、ＷＵＲビーコン数、または失ったＷＵＲビーコンの数を維持することができる。ある時間期間（たとえば、期間９１７）において失ったＷＵＲビーコンの数または割合が、あるパラメータ（たとえば、ＭａｘＮｕｍｂｅｒＭｉｓｓｅｄＷＵＲＢｅａｃｏｎｓ）を越える場合、ＳＴＡ９０８は、その主無線をオンにし、主チャネル４０５を監視することができる。別の例示的なシナリオでは、受信されたＷＵＲビーコンの数または割合が、ある時間期間（たとえば、期間９１７）において別のパラメータ（たとえば、ＭｉｎＮｕｍｂｅｒＲｅｃｅｉｖｅｄＢｅａｃｏｎｓ）を下回っている場合、ＳＴＡ９０８は、その主無線をオンにし、主チャネル４０５を監視する（モニター）ことができる。
【０１１５】
別の例示的なシナリオでは、ＳＴＡ９０８は、ＳＴＡ９０８がデコードすることができない閾値エネルギーレベルを下回るエネルギーレベルを有するＷＵＲチャネル９０１上の信号を検出するので、ＳＴＡ９０８は、主無線に切り替えることができる。別の例示的なシナリオでは、ＳＴＡ９０８が、現在割り当てられているＷＵＲチャネル９０１上でより高いデータレートを使用することを要求する（たとえば、提案する）ことを理由に、ＳＴＡ９０８は、主無線に切り替えることができる。ＳＴＡ９０８が、最大レートを下回って動作していた場合に、ＳＴＡ９０８が所定の数のＷＵＲパケットを正常にデコードしたことを理由に、ＳＴＡ９０８は、より高いレートを要求することを決定することができる。別の例示的なシナリオでは、ＳＴＡ９０８が、現在割り当てられているＷＵＲチャネル９０１上でより低いレートを使用することを要求する（たとえば、提案する）ことを理由に、ＳＴＡ９０８は、主無線に切り替えることができる。ＳＴＡ９０８が、最低レートを上回って動作していた場合に、ＳＴＡ９０８が低ＳＮＲに起因する送信失敗を検出したことを理由に、ＳＴＡ９０８は、より高いレートを要求することを決定することができる。別の例示的なシナリオでは、ＳＴＡ９０８は、周期的にウェイクアップして、ＡＰ９０６に情報をレポートすることができるので、ＳＴＡ９０８は、主無線に切り替えることができる。ＳＴＡ９０８によってＡＰ９０６に報告される情報の例は、ＷＵＲチャネル条件および／または現在のもしくは所望のＷＵＲチャネル（たとえば、ＷＵＲチャネル９０１、ＷＵＲチャネル９０２）への干渉を含むことができるが、これらを含むように限定されない。ＡＰ９０６およびＳＴＡ９０８は、初期ＷＵＲセットアップフレーム交換（たとえば、期間９１５中のＷＵＲ要求フレーム９１０、ＷＵＲ応答フレーム９１２、および／またはＷＵＲシグナリングフレーム９１４の交換）中のＷＵＲ動作中に主無線のウェイクアップの周期をネゴシエートすることができる。
【０１１６】
ＳＴＡ９０８が、その主無線を、ＷＵＲセットアップ情報を更新するためにオンに切り替える場合、ＳＴＡ９０８は、主チャネル９０５上の主無線上でショートＷＵＲアクションフレーム９２２を送信することができる。一例では、ショートＷＵＲアクションフレーム９２２の送信は、主チャネル９０５上での前のＷＵＲセットアップフレーム交換（たとえば、期間９１５中のＷＵＲ要求フレーム９１０、ＷＵＲ応答フレーム９１２、および／またはＷＵＲシグナリングフレーム９１４の交換）において、決定されおよび／またはネゴシエートされることができる。ショートＷＵＲフレーム９２２は、以下の例示的な情報のうちのいずれかを含むことができる：ＷＵＲフレーム９２２がショートＷＵＲフレームであることを示すショートＷＵＲインジケーション；ＳＴＡ９０８の主無線の現在のウェイクアップのための理由（たとえば、ＭａｘＭｏｎｉｔｏｒｉｎｇＤｕｒａｔｉｏｎのタイムアウト、ＴｏｏＭａｎｙＭｉｓｓｅｄＷＵＲＢｅａｃｏｎｓを超えたこと、レート適応、チャネル切替え、もしくはチャネルホッピング）；および／または、ＳＴＡが、ショートＷＵＲアクションフレームをＡＰに要求してＷＵＲ設定を変化させることを示すショートＷＵＲ要求。
【０１１７】
２つのＷＵＲ切替え間隔またはホッピング間隔ＨＩ９１７とＨＩ９３２との間で送信されるＷＵＲシグナリングフレーム９２２、９２４および９２６は、簡略化されたフレームまたは短いフレームとすることができる。たとえば、ＷＵＲシグナリングフレーム９２２、９２４および９２６は、初期ＷＵＲネゴシエーションおよびセットアップフェーズ中に送信されるようなフレーム（たとえば、ＷＵＲ要求フレーム９１０）と同じタイプであるか、または同じタイプでないことがある。たとえば、ＷＵＲシグナリングフレーム９２２は、ＷＵＲ要求ＮＤＰフレームとすることができ、ＷＵＲ要求ＮＤＰフレームは、ＮＤＰ媒体アクセス制御（ＭＡＣ）フレームを示すための（たとえば、信号（ＳＩＧ）もしくはＳＩＧ−Ａ／Ｂフィールド内の）フィールド、および／またはＮＤＰフレームのタイプを示すためのフィールド（たとえば、値は、ＷＵＲ要求ＮＤＰフレームを示すように設定されることができる）を含むことができる。たとえば、ＮＤＰ  ＭＡＣフレームフィールドが設定されると、ＳＩＧフィールドおよび／またはＳＩＧ−Ａ／Ｂフィールドは、ウェイクアップ理由を示すことができる。
【０１１８】
別の例では、ＷＵＲシグナリングフレーム９２２は、ＷＵＲ応答ＮＤＰフレームとすることができ、ＷＵＲ応答ＮＤＰフレームは、ＮＤＰ  ＭＡＣフレームを示すための（たとえば、ＳＩＧもしくはＳＩＧ−Ａ／Ｂフィールド内の）フィールド、および／またはＮＤＰフレームのタイプを示すためのフィールド（たとえば、値は、ＷＵＲ応答ＮＤＰフレームを示すように設定されることができる）を含むことができる。たとえば、ＮＤＰ  ＭＡＣフレームフィールドが設定されると、ＳＩＧフィールドおよび／またはＳＩＧ−Ａ／Ｂフィールドは、以下の情報のうちのいずれかを含むことができる：更新済みのＷＵＲチャネル割当て（たとえば、チャネルインデックス、もしくはチャネルのビットマップ）；更新済みのＷＵＲ１次チャネル（たとえば、チャネルインデックス、もしくはチャネルのビットマップ）；更新済みのＷＵＲレート設定（たとえば、レートインデックス）；および／または更新済みのデューティサイクル設定。別の例では、ＮＤＰ  ＭＡＣフレームフォーマットをショートＷＵＲアクションフレーム９２２に使用する代わりに、ＱｏＳヌルフレームまたはＭＡＣフレームを使用して、ショートＷＵＲ  ＭＡＣフレームが設計されることができる。
【０１１９】
ＡＰ９０６は、ＳＴＡ９０８からショートＷＵＲフレーム９２２を受信することができ、たとえば、応答が、前のＷＵＲ設定においてネゴシエートされていた場合、および／またはウェイクアップの理由が、受信されたショートＷＵＲフレーム９２２において示されていた場合、応答してＳＴＡ９０８にショートＷＵＲアクションフレーム９２４を送信することを決定することができる。図示しない例では、ＡＰ９０６は、完全なＷＵＲアクションフレーム（すなわち、短くない）により、ショートＷＵＲアクションフレーム９２２に応答することができる。ＡＰ９０６によって送信される、ショートＷＵＲアクションフレーム９２４は、以下の情報（フィールド）のうちのいずれかを含むことができる：ＷＵＲアクションフレーム９２４はショートＷＵＲアクションフレームであることを示すことができる、ショートＷＵＲインジケーションフィールド；更新済みのＷＵＲチャネル割当てを示すことができるＷＵＲ設定更新フィールド；更新済みのＷＵＲ１次チャネルフィールド；更新済みのＷＵＲレート設定フィールド；および／または更新済みのデューティサイクル設定フィールド。
【０１２０】
ＳＴＡ９０８は、ＡＰ９０６からショートＷＵＲアクションフレーム９２４を受信することができ、主チャネル９０５上でＷＵＲシグナリングフレームまたはショートＷＵＲアクションフレーム９２６によりＡＰ９０６に応答して、ＳＴＡ９０８がＷＵＲチャネル（たとえば、ＷＵＲチャネル９０２）に切り替えて戻ることを示すこと、および／または、期間９２０中のショートＷＵＲアクションフレーム交換に基づいて、更新済みのＷＵＲ設定を確認することができる。ＷＵＲ期間９３２中に、ＳＴＡ９０８は、ＷＵＲチャネル９０２を監視し９２８、ＡＰ９０６からウェイクアップＳＴＡフレーム９３０を受信することができる。
【０１２１】
ＷＵＲトランジットモードを使用して、ＷＵＲ対応のＳＴＡにおける既存のＷＵＲ動作パラメータのサブセットを更新するために手順が使用されることができる。ＷＵＲトランジットモードにおいて、信号は、主無線を介して送信されることができ、ネゴシエートされたＷＵＲパラメータは、たとえば、ＷＵＲパラメータのうちの１つまたは複数を更新するために使用されることができるショートＷＵＲフレームまたは他の制御／管理フレームによって、それらが修正され、または更新されるまで、有効なままとすることができる。たとえば、トランジットモードは、チャネルおよび／またはレート適応を効率的に実行するために使用されることができる。図１０Ａは、ＷＵＲ対応のＳＴＡのための例示的な無線動作遷移手順１０００Ａの状態図を示す。ＰＣＲモード１０３０およびトランジットモード１０３４において、ＳＴＡは、ＰＣＲをオンにし、ＷＵＲをオフにし、ＷＵＲモード１０３２において、ＳＴＡは、ＰＣＲをオフにし（たとえば、スリープ状態またはドーズ状態にし）、ＷＵＲをオンにする。ＰＣＲモード１０３０において、ＳＴＡは、非ＷＵＲ８０２．１１動作に従って（たとえば、８０２．１１ＡＣまたは８０２．１１ｎに従って）動作することができる。ＳＴＡが、ＰＣＲモード１０３０とＷＵＲモード１０３２との間を遷移する場合、ＳＴＡは、（ＰＣＲモード１０３０からＷＵＲモード１０３２への）完全なＷＵＲパラメータネゴシエーション１０３８、および／または（ＷＵＲモード１０３２からＰＣＲモード１０３０への）完全なＷＵＲティアダウン（teardown）を完了させることができる。ＷＵＲティアダウンは、ＳＴＡが現在のＷＵＲモードを中止しており、現在のＷＵＲパラメータがもはや有効ではないことを示すＰＣＲを介したＳＴＡとＡＰとの間のフレーム交換を含むことができる。ＳＴＡが、ＷＵＲトランジットモード１０３４とＷＵＲモード１０３２との間を遷移する場合、次回、ＳＴＡがＷＵＲモード１０３２になるときのために、前にネゴシエートされたＷＵＲパラメータのうちのいくつか、ほとんど、または全部すら維持することができるように、ＳＴＡは、本明細書において説明されるような（たとえば、図９において説明されるような）、ショートＷＵＲネゴシエーション手順１０４０を使用することができる。
【０１２２】
図１０Ｂは、ＷＵＲモードとトランジットモードとの間を遷移する間にＷＵＲ対応のＳＴＡによって実行されることができる例示的なＷＵＲチャネルパラメータ再ネゴシエーション手順１０００Ｂのフロー図である。ショートＷＵＲフレームは、パラメータ再ネゴシエーションのために使用されることができる。１００２において、ＳＴＡは、割り当てられたＷＵＲチャネルを介してＷＵＲビーコン（および／またはＷＵＲフレーム）を監視する（モニター）ことができる。１００４において、ある持続時間（たとえば、ＭａｘＢｅａｃｏｎＭｏｎｉｔｏｒｉｎｇＤｕｒａｔｉｏｎの時間期間）内に、ＳＴＡが任意のＷＵＲビーコン（またはＷＵＲフレーム）を正常に受信したかを、ＳＴＡは決定することができる。
【０１２３】
ＳＴＡが、持続時間内にＷＵＲビーコン（またはＷＵＲフレーム）を受信しなかった場合、それは、ＷＵＲチャネル条件が信頼できる送信をサポートすることができないという理由であることがあり、その場合、ＳＴＡは、以下のアクションのうちのいずれかを実行することができる。１０１０において、ＳＴＡは、ＷＵＲトランジットモードでＰＣＲに切り替えることができ、ウェイクアップ理由を「ＷＵＲチャネル品質が信頼できる送信をサポートすることができない」に設定することができる。１０１２において、ＳＴＡは、主無線（ＰＣＲ）にウェイクアップする／切り替えることができ、ウェイクアップ理由を含むショートＷＵＲ要求フレームをＡＰに送ることができ、ならびに／または、ＳＴＡは、ウェイクアップ理由および更新対象のＷＵＲパラメータ（たとえば、ＷＵＲチャネル割当て）を含む制御／管理フレームを送ることができる。１０１４において、ＳＴＡは、主無線を介してショートＷＵＲ応答フレームまたは任意の他の制御／管理フレームを受信することができ、これは、新しいＷＵＲチャネル割当てを含むことができる（たとえば、チャネル割当ては、ＷＵＲチャネルインデックス、ＰＣＲチャネルインデックス、またはチャネルビットマップによって示されることができる）。１０１６において、ＳＴＡは、新しいＷＵＲチャネル割当てに従って、および任意の更新済みのＷＵＲパラメータに従って、ＳＴＡがＷＵＲに切り替えること（および主無線をドーズ状態にすること）を示すＷＵＲ信号を送ることができる。更新されなかったＷＵＲパラメータは、前にネゴシエートされたものと同じままとすることができる。
【０１２４】
ＳＴＡが、持続時間内にＷＵＲビーコンを正常に受信した場合、１００６において、ＳＴＡは、持続時間（たとえば、ＭａｘＷＵＲＦｒａｍｅＭｏｎｉｔｏｒｉｎｇＤｕｒａｔｉｏｎ）内にＳＴＡがＷＵＲフレームを受信したかを決定することができる。ＳＴＡが、（１００６において決定されるように）持続時間内にいくつかのＷＵＲビーコンフレームを受信するが、ＷＵＲフレームを全くまたは十分に受信しない場合、１０１８において、ＳＴＡは、ＳＴＡが最低ＷＵＲデータレートで動作しているか否かを決定することができる。ＳＴＡが、より低いＷＵＲレートですでに動作している場合、それは、ＷＵＲチャネル条件が信頼できる送信をサポートすることができないという理由であることがあり、ＳＴＡは、上述したように、１０１０〜１０１６に従って進むことができる。
【０１２５】
ＳＴＡが、最低ＷＵＲレートで動作していない場合、１０２０において、ＳＴＡは、ＷＵＲトランジットモードでＰＣＲに切り替え、ウェイクアップ理由を「ＷＵＲデータレートが高すぎる」に設定することができる。１０２２において、ＳＴＡは、主無線に切り替え、ウェイクアップ理由を含むショートＷＵＲ要求フレームを送ることができ、および／または、ＳＴＡは、ウェイクアップ理由および更新対象のＷＵＲパラメータを含む制御／管理フレームを送ることができる。１０２４において、ＳＴＡは、ショートＷＵＲ応答フレームまたは任意の他の制御／管理フレームを受信することができ、これは、ＳＴＡのための新しいＷＵＲレート割当てを含むことがで        きる。１０２６において、ＳＴＡは、新しいＷＵＲレート割当てに従って、および任意の更新済みのＷＵＲパラメータに従って、ＳＴＡがＷＵＲに切り替えること（および主無線をドーズ状態にすること）を示すＷＵＲ信号を送ることができる。更新されなかったＷＵＲパラメータは、前にネゴシエートされたものと同じままとすることができる。
【０１２６】
１００４および１００６において、ＳＴＡが、一定の時間期間内に（たとえば、１つまたは複数の閾値と比較して）十分な数のＷＵＲビーコンおよびＷＵＲフレームを正常に受信したと決定される場合、１００８において、ＳＴＡは、受信されたＷＵＲフレームに従って命令に従うことができ、前にネゴシエートされたＷＵＲパラメータを使用し続けることができる。
【０１２７】
上記の例は、例示的な所定の時間持続時間ＭａｘＢｅａｃｏｎＭｏｎｉｔｏｒｉｎｇＤｕｒａｔｉｏｎおよびＭａｘＷＵＲＦｒａｍｅＭｏｎｉｔｏｒｉｎｇＤｕｒａｔｉｏｎを参照している。ＭａｘＢｅａｃｏｎＭｏｎｉｔｏｒｉｎｇＤｕｒａｔｉｏｎは、ＳＴＡがＰＣＲを使用して、ビーコンフレームを監視する最大持続時間とすることができる。ＭａｘＢｅａｃｏｎＭｏｎｉｔｏｒｉｎｇＤｕｒａｔｉｏｎ中にビーコンフレームが検出されない場合、ＳＴＡは、ＰＣＲモードまたはＷＵＲトランジットモードに切り替えることができる。ＭａｘＢｅａｃｏｎＭｏｎｉｔｏｒｉｎｇＤｕｒａｔｉｏｎは、ＷＵＲビーコン間隔に従って設定されることができる。たとえば、ＭａｘＢｅａｃｏｎＭｏｎｉｔｏｒｉｎｇＤｕｒａｔｉｏｎは、ＷＵＲビーコン間隔のＭ倍に設定されることができ、ただし、ＭまたはＭａｘＢｅａｃｏｎＭｏｎｉｔｏｒｉｎｇＤｕｒａｔｉｏｎは、所定の／予め構成された整数とすることができる。ＭまたはＭａｘＢｅａｃｏｎＭｏｎｉｔｏｒｉｎｇＤｕｒａｔｉｏｎが設定可能である場合、それは、ＷＵＲパラメータを搬送し、ＰＣＲを介して送信されるＷＵＲアクションフレームまたは他の制御／管理フレームにおいてシグナリングされることができる。ＭａｘＢｅａｃｏｎＭｏｎｉｔｏｒｉｎｇＤｕｒａｔｉｏｎは、ＳＴＡカテゴリまたはＳＴＡタイプによって決定されることができる。たとえば、表が定義されることができ、各ＳＴＡカテゴリはそれ自体のデフォルトのＭａｘＢｅａｃｏｎＭｏｎｉｔｏｒｉｎｇＤｕｒａｔｉｏｎを有することができる。したがって、ＳＴＡ能力交換によって、ＭａｘＢｅａｃｏｎＭｏｎｉｔｏｒｉｎｇＤｕｒａｔｉｏｎは明示的にまたは黙示的に決定されることができる。たとえば、ＳＴＡカテゴリは、以下のように定義されることができる（ただし、Ｘ１、Ｘ２およびＴは、予め構成され、または予め定義されることができる）：平均して、ＳＴＡは、Ｔ持続時間内にＡＰとの最小トラフィック交換（＜Ｘ１メガビット）を予想することができる；平均して、ＳＴＡは、Ｔ持続時間内にＡＰとの媒体トラフィック交換（≧Ｘ１メガビット、かつ、＜Ｘ２メガビット）を予想することができる；平均して、ＳＴＡは、Ｔ持続時間内にＡＰとの高いトラフィック交換（≧Ｘ２メガビット）を予想することができる。
【０１２８】
ＭａｘＷＵＲＦｒａｍｅＭｏｎｉｔｏｒｉｎｇＤｕｒａｔｉｏｎは、ＳＴＡがＷＵＲフレームを監視する（モニター）ことができる最大持続時間とすることができる。ＷＵＲフレームがＭａｘＷＵＲＦｒａｍｅＭｏｎｉｔｏｒｉｎｇＤｕｒａｔｉｏｎ中に検出されない場合、ＳＴＡは、ＰＣＲモードまたはＷＵＲトランジットモードに切り替えることができる。ＭａｘＷＵＲＦｒａｍｅＭｏｎｉｔｏｒｉｎｇＤｕｒａｔｉｏｎは、所定の／予め構成された数とすることができる。ＭａｘＷＵＲＦｒａｍｅＭｏｎｉｔｏｒｉｎｇＤｕｒａｔｉｏｎが設定可能である場合において、それは、ＷＵＲパラメータを搬送し、ＰＣＲを介して送信されるＷＵＲアクションフレームまたは他の制御／管理フレームにおいてシグナリングされることができる。ＭａｘＷＵＲＦｒａｍｅＭｏｎｉｔｏｒｉｎｇＤｕｒａｔｉｏｎは、ＳＴＡカテゴリまたはＳＴＡタイプによって決定されることができる。たとえば、表が定義されることができ、各ＳＴＡカテゴリはそれ自体のデフォルトのＭａｘＷＵＲＦｒａｍｅＭｏｎｉｔｏｒｉｎｇＤｕｒａｔｉｏｎを有することができる。したがって、ＳＴＡ能力交換によって、ＭａｘＷＵＲＦｒａｍｅＭｏｎｉｔｏｒｉｎｇＤｕｒａｔｉｏｎは、明示的にまたは黙示的に決定されることができる。
【０１２９】
一例では、１つの持続時間である「ＭａｘＭｏｎｉｔｏｒｉｎｇＤｕｒａｔｉｏｎ」は、ＷＵＲビーコン監視およびＷＵＲフレーム監視のための最大持続時間として使用されることができるように定義／構成されることができる。ＳＴＡが、ＭａｘＭｏｎｉｔｏｒｉｎｇＤｕｒａｔｉｏｎにわたり、いかなるＷＵＲパケット（ビーコンまたはＷＵＲフレーム）も検出しない場合、ＳＴＡは、ＰＣＲモードまたはＷＵＲトランジットモードに入ることができる。ＭａｘＭｏｎｉｔｏｒｉｎｇＤｕｒａｔｉｏｎは、所定の／予め構成された数とすることができる。ＭａｘＭｏｎｉｔｏｒｉｎｇＤｕｒａｔｉｏｎが設定可能である場合において、それは、ＷＵＲパラメータを搬送し、ＰＣＲを介して送信されるＷＵＲアクションフレームまたは他の制御／管理フレームにおいてシグナリングされることができる。ＭａｘＭｏｎｉｔｏｒｉｎｇＤｕｒａｔｉｏｎは、ＳＴＡカテゴリまたはＳＴＡタイプによって決定されることができる。たとえば、表が定義されることができ、各ＳＴＡカテゴリはそれ自体のデフォルトのＭａｘＭｏｎｉｔｏｒｉｎｇＤｕｒａｔｉｏｎを有することができる。したがって、ＳＴＡ能力交換によって、ＭａｘＭｏｎｉｔｏｒｉｎｇＤｕｒａｔｉｏｎは、明示的にまたは黙示的に決定されることができる。
【０１３０】
８０２．１１ｂａのＷＵＲ対応のＳＴＡを簡略化するために、（たとえば、ＡＰによって送信される）８０２．１１ｂａ  ＷＵＲ信号は、一定の周波数帯域に制限されることができる。しかしながら、ＷＵＲ受信機が、多経路チャネルに起因するフェージングを被る場合には、ＷＵＲ信号がＷＵＲ受信機において正常に復調されないことがある。いずれかの周波数帯域上で被る多経路チャネルフェージングからも保護するために、ＷＵＲ受信機は、異なる周波数帯域を周期的に監視する（モニター）ことができる。８０２．１１ｂａのＷＵＲ対応のＳＴＡにおけるＷＵＲ受信機によって監視される周波数帯域／チャネルを構成するための例示的な手順によれば、ＡＰは、ＷＵＲ対応のＳＴＡの主無線（ＰＣＲ）に周波数帯域を示すためにインジケーションまたはシグナリングを送ることができる。ＷＵＲ受信機が、示された周波数帯域／チャネルからの８０２．１１ｂａ信号を周期的に監視する（モニター）ことができるように、ＷＵＲ対応のＳＴＡのＰＣＲは、そのＷＵＲ受信機を構成することができる。たとえば、ＡＰは、ネゴシエートされた周波数帯域／チャネルを周期的に使用することによってＷＵＲ信号を送信することができ、したがって、ＷＵＲ受信機は、示された周波数帯域に周期的にチューニングされて、示された周波数帯域からの８０２．１１ｂａ信号を受信することができる。
【０１３１】
別の例では、ＷＵＲ対応のＳＴＡの主無線（たとえば、８０２．１１ａｘ無線）は、８０２．１１ｂａ信号のための周波数帯域をＡＰに示すことができる。たとえば、周波数帯域は、無線能力設定の一部とすることができ、ＡＰからの要求に基づいて、ＡＰへ送信されることができる。応答して、ＡＰは、主無線がスリープモードに入る前に、８０２．１１ｂａ信号を含むことができる周波数帯域をＷＵＲ対応のＳＴＡの主無線に示すことができる。別の例では、ＡＰは、ＷＵＲ対応のＳＴＡの主無線に肯定応答信号を送信することによって、８０２．１１ｂａ信号のための示された周波数帯域を肯定応答することができる。８０２．１１ｂａ信号のための帯域がＳＴＡとＡＰとの両方についてネゴシエートされると、ＳＴＡは、ＷＵＲ受信機（たとえば、８０２．１１ｂａ受信機）の設定を調整して、示された帯域上を走査することができる。ＡＰは、ネゴシエートされた周波数帯域を周期的に使用することによって、８０２．１１ｂａ信号を送信することができる。ＳＴＡ内のＷＵＲ受信機は、示された周波数帯域からの信号を受信するために周期的にチューニングされることができる。別の例では、８０２．１１ｂａ信号を含むことができる周波数帯域は、ＷＵＲ１次チャネルを通じて８０２．１１ｂａ信号を介してＳＴＡのＷＵＲに直接示されることができる。別の例では、ＷＵＲチャネルのセットは、１次ＷＵＲ周波数帯域として定義されることができる。
【０１３２】
図１１は、ＷＵＲ対応のＳＴＡ１１０２のための例示的な周波数割り当て１１００の周波数割り当て図である。周波数割り当て１１００は、ＳＴＡ１１０２の主無線（ＰＣＲ）によって使用されるべき周波数帯域１１０６の８０２．１１ａｘ割り当てを含むことができる。周波数割り当て１１００は、ＳＴＡ１１０２のＷＵＲによって使用されるべきデフォルト周波数帯域として、周波数ロケーション／チャネル／帯域１１０８および１１１０をさらに含んで、ＷＵＲ信号を監視する（モニター）ことができる。帯域１１０８および１１１０は、たとえばＡＰ（図示せず）によって、ＳＴＡ１１０２に示されることができる。ＳＴＡ１１０２のＷＵＲは、帯域１１０８および１１１０を走査することができ、ＳＴＡ１１０２は、ＷＵＲ周波数走査を実行する場合、周波数帯域１１１２などの周波数帯域をスキップすることができる。ＷＵＲが、新しく示された帯域（たとえば、ＷＵＲ周波数帯域は、周波数帯域１１０８および１１１２に変更されることができる）を走査することができるように、ＳＴＡ１１０２のためのＷＵＲチャネルは変更されることができる。
【０１３３】
本明細書において説明される実施形態および実施例は、８０２．１１固有のプロトコルを考慮するが、本明細書において説明される解決策が、これらのシナリオに制限されず、他のワイヤレスシステムに対しても同様に適用可能であることが理解される。
【０１３４】
特徴および要素は、特定の組合せにおいて上述されているが、当業者は、各特徴または要素が単独でまたは他の特徴および要素との任意の組合せにおいて使用されることができることが理解されよう。また、本明細書において説明される方法は、コンピュータまたはプロセッサによる実行のためのコンピュータ可読媒体に組み込まれたコンピュータプログラム、ソフトウェア、またはファームウェアにおいて実装されることができる。コンピュータ可読媒体の例は、（ワイヤード接続またはワイヤレス接続を介して送信される）電気信号およびコンピュータ可読記憶媒体を含む。コンピュータ可読記憶媒体の例は、読取り専用メモリ（ＲＯＭ）、ランダムアクセスメモリ（ＲＡＭ）、レジスタ、キャッシュメモリ、半導体メモリデバイス、内部ハードディスクおよび取外し可能ディスクなどの磁気媒体、磁気光学媒体、ならびに、ＣＤ−ＲＯＭディスクおよびデジタルバーサタイルディスク（ＤＶＤ）などの光学媒体を含むが、これらに限定されない。ソフトウェアと関連したプロセッサは、ＷＴＲＵ、ＵＥ、端末、基地局、ＲＮＣ、または任意のホストコンピュータにおいて使用される無線周波数送受信機を実装するために使用されることができる。
【図１Ａ】
2020519176.tif 000004
【図１Ｂ】
2020519176.tif 000005
【図１Ｃ】
2020519176.tif 000006
【図１Ｄ】
2020519176.tif 000007
【図２】
2020519176.tif 000008
【図３Ａ】
2020519176.tif 000009
【図３Ｂ】
2020519176.tif 000010
【図４】
2020519176.tif 000011
【図５】
2020519176.tif 000012
【図６】
2020519176.tif 000013
【図７】
2020519176.tif 000014
【図８】
2020519176.tif 000015
【図９】
2020519176.tif 000016
【図１０Ａ】
2020519176.tif 000017
【図１０Ｂ】
2020519176.tif 000018
【図１１】
2020519176.tif 000019
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
ワイヤレス送信／受信ユニット（ＷＴＲＵ）であって、
１次接続無線（ＰＣＲ）と、
ウェイクアップ無線（ＷＵＲ）と、
プロセッサとを備え、
前記ＰＣＲは、アクセスポイント（ＡＰ）に、少なくともＷＵＲチャネル情報およびＷＵＲデータレート情報を含む第１のＷＵＲフレームを送るように構成され、
前記ＰＣＲは、前記第１のＷＵＲフレームに応答して、前記ＡＰから、少なくとも第１のＷＵＲチャネル割当てを含む第２のＷＵＲフレームを受信するように構成され、
前記ＷＵＲは、オンになり、および、前記第１のＷＵＲチャネル割当てに従って、前記ＡＰから、第１のＷＵＲチャネル上のＷＵＲ信号についてワイヤレス媒体をモニターするように構成されたＷＴＲＵ。
【請求項２】
前記ＷＵＲおよび前記プロセッサは、最低チャネルレートで動作している間に第１の期間内に前記ＷＵＲがＷＵＲフレームを成功裏に受信しないことに基づいて、前記第１のＷＵＲチャネルが信頼できる送信をサポートしていないと決定するように構成され、
前記第１のＷＵＲチャネルが信頼できる送信をサポートしていないと決定することに基づいて、
前記プロセッサは、ウェイクアップ理由を第１の理由に設定するように構成され、
前記ＷＵＲは、オフになるように構成され、
前記ＰＣＲは、オンになり、および、前記ＡＰに、少なくとも前記ウェイクアップ理由を含む第２のＷＵＲフレームを送るように構成され、
前記ＰＣＲは、前記ＡＰから、少なくとも第２のＷＵＲチャネル割当てとともに第３のＷＵＲフレームを受信するように構成され、
前記ＰＣＲは、オフになるように構成され、
前記ＷＵＲは、オンになり、および、前記第２のＷＵＲチャネル割当てに従って、第２のＷＵＲチャネル上のＷＵＲ信号について前記ワイヤレス媒体をモニターするように構成された
請求項１に記載のＷＴＲＵ。
【請求項３】
前記ＷＵＲは、前記ＡＰから、前にネゴシエートされたＷＵＲ動作パラメータのセットを使用して、前記第１のＷＵＲチャネル上でＷＵＲ信号について前記ワイヤレス媒体をモニターするように構成され、前記第１のＷＵＲチャネル割当てが、前にネゴシエートされたＷＵＲ動作パラメータの前記セット中のＷＵＲチャネル割当てをオーバーライドする請求項１に記載のＷＴＲＵ。
【請求項４】
前記第１のＷＵＲチャネルは、狭い周波数帯域幅を有する請求項１に記載のＷＴＲＵ。
【請求項５】
前記ＷＵＲおよび前記プロセッサは、最低データレートを上回って動作している間に第１の期間内に前記ＷＵＲがＷＵＲフレームを成功裏に受信しないことに基づいて、前記第１のＷＵＲチャネルを介したＷＵＲ送信のデータレートが高すぎると決定するように構成され、
前記第１のＷＵＲチャネルを介した前記ＷＵＲ送信の前記データレートが高すぎると決定することに基づいて、
前記プロセッサは、ウェイクアップ理由を第２の理由に設定するように構成され、
前記ＷＵＲは、オフになるように構成され、
前記ＰＣＲは、オンになり、および、前記ＡＰに、少なくとも前記ウェイクアップ理由を含む第２のＷＵＲフレームを送るように構成され、
前記ＰＣＲは、前記ＡＰから、少なくとも第１のＷＵＲデータレート割当てとともに第３のＷＵＲフレームを受信するように構成され、
前記ＰＣＲは、オフになるように構成され、
前記ＷＵＲは、オンになり、および、前記第１のＷＵＲデータレート割当てと前にネゴシエートされたＷＵＲ動作パラメータのセットとに従って、ＷＵＲ信号について前記ワイヤレス媒体をモニターするように構成され、前記第１のＷＵＲデータレート割当てが、前にネゴシエートされたＷＵＲ動作パラメータの前記セット中のＷＵＲデータレート割当てをオーバーライドする請求項１に記載のＷＴＲＵ。
【請求項６】
前記ＷＵＲおよび前記プロセッサは、前記ＷＵＲが第１の期間内にビーコンを、および第２の期間内にＷＵＲフレームを成功裏に受信することに基づいて、前記第１のＷＵＲチャネルが信頼できる送信をサポートしていると決定するように構成され、
前記第１のＷＵＲチャネルが信頼できる送信をサポートしていると決定することに基づいて、前記プロセッサは少なくとも１つの受信されたＷＵＲフレーム中の命令に従うように構成された請求項１に記載のＷＴＲＵ。
【請求項７】
前にネゴシエートされたＷＵＲ動作パラメータのセットは、前記ＷＴＲＵと前記ＡＰとの間でのＷＵＲセットアップ情報の交換中に前にネゴシエートされていた請求項１に記載のＷＴＲＵ。
【請求項８】
前にネゴシエートされたＷＵＲ動作パラメータの前記セットは、ＷＵＲチャネル割当て、ＷＵＲデータレート、ＷＵＲチャネルホッピングパターン、ＷＵＲ開始時間、動作ＷＵＲチャネルのセット、ＷＵＲビーコン情報、ＷＵＲ同期情報、ＷＵＲ最大モニタリング期間、前記ＷＴＲＵに割り当てられたＷＵＲ局識別情報（ＩＤ）、ＷＵＲデューティサイクル情報、またはショートＷＵＲネゴシエーション情報のうちの少なくとも１つを含む請求項７に記載のＷＴＲＵ。
【請求項９】
前記ＷＵＲは、ＷＵＲデューティサイクルに従って周期的に電源オフおよび電源オンするようにさらに構成され、１ミリワット（ｍＷ）を下回るアクティブ受信機電力消費量を有する
請求項１に記載のＷＴＲＵ。
【請求項１０】
８０２．１１局（ＳＴＡ）として構成された請求項１に記載のＷＴＲＵ。
【請求項１１】
ワイヤレス送信／受信ユニット（ＷＴＲＵ）によって実行される方法であって、
１次接続無線（ＰＣＲ）を使用して、アクセスポイント（ＡＰ）に、少なくともウェイクアップ無線（ＷＵＲ）チャネル情報およびＷＵＲデータレート情報を含む第１のＷＵＲフレームを送るステップと、
前記第１のＷＵＲフレームに応答して、前記ＡＰから、前記ＰＣＲを使用して、少なくとも第１のＷＵＲチャネル割当てを含んでいる第２のＷＵＲフレームを受信するステップと、
前記第１のＷＵＲチャネル割当てに従って、ＷＵＲを使用して、前記ＡＰから、第１のＷＵＲチャネル上のＷＵＲ信号についてワイヤレス媒体をモニターするステップと
を備える方法。
【請求項１２】
最低チャネルレートで動作している間に第１の期間内に前記ＷＵＲがＷＵＲフレームを成功裏に受信しないことに基づいて、前記第１のＷＵＲチャネルが信頼できる送信をサポートしていないと決定するステップと、
前記第１のＷＵＲチャネルが信頼できる送信をサポートしていないと決定することに基づいて、
ウェイクアップ理由を第１の理由に設定するステップと、
前記ＷＵＲをオフにするステップと、
前記ＰＣＲをオンにするステップと、
前記ＰＣＲを使用して、前記ＡＰに、少なくとも前記ウェイクアップ理由を含む第２のＷＵＲフレームを送るステップと、
前記ＰＣＲを使用して、前記ＡＰから、少なくとも第２のＷＵＲチャネル割当てを含んでいる第３のＷＵＲフレームを受信するステップと、
前記ＰＣＲをオフにするステップと、
前記ＷＵＲをオンにするステップと、
前記第２のＷＵＲチャネル割当てに従って、前記ＷＵＲを使用して、第２のＷＵＲチャネル上のＷＵＲ信号について前記ワイヤレス媒体をモニターするステップと
をさらに備える請求項１１に記載の方法。
【請求項１３】
前記ＡＰから、前記ＷＵＲを使用して、前記第１のＷＵＲチャネル上でＷＵＲ信号について前記ワイヤレス媒体をモニターする前記ステップは、前にネゴシエートされたＷＵＲ動作パラメータのセットに基づいており、前記第１のＷＵＲチャネル割当てが、前にネゴシエートされたＷＵＲ動作パラメータの前記セット中のＷＵＲチャネル割当てをオーバーライドする請求項１２に記載の方法。
【請求項１４】
前記第１のＷＵＲチャネルは、狭い周波数帯域幅を有する請求項１１に記載の方法。
【請求項１５】
最低データレートを上回って動作している間に第１の期間内に前記ＷＵＲがＷＵＲフレームを成功裏に受信しないことに基づいて、前記第１のＷＵＲチャネルを介したＷＵＲ送信のデータレートが高すぎると決定するステップと、
前記第１のＷＵＲチャネルを介したＷＵＲ送信の前記データレートが高すぎると決定することに基づいて、
ウェイクアップ理由を第２の理由に設定するステップと、
前記ＷＵＲをオフにするステップと、
前記ＰＣＲをオンにするステップと、
前記ＰＣＲを使用して、前記ＡＰに、少なくとも前記ウェイクアップ理由を含む第２のＷＵＲフレームを送るステップと、
前記ＡＰから、前記ＰＣＲを使用して、少なくとも第１のＷＵＲデータレート割当てとともに第３のＷＵＲフレームを受信するステップと、
前記ＰＣＲをオフにするステップと、
前記ＷＵＲをオンにするステップと、
前記第１のＷＵＲデータレート割当てと前にネゴシエートされたＷＵＲ動作パラメータのセットとに従って、前記ＡＰから、ＷＵＲ信号について前記ワイヤレス媒体をモニターするステップであって、前記第１のＷＵＲデータレート割当てが、前にネゴシエートされたＷＵＲ動作パラメータの前記セット中のＷＵＲデータレート割当てをオーバーライドする、ステップと
をさらに備える請求項１１に記載の方法。
【請求項１６】
前記ＷＵＲが第１の期間内にビーコンを、および、第２の期間内にＷＵＲフレームを成功裏に受信することに基づいて、前記第１のＷＵＲチャネルが信頼できる送信をサポートしていると決定するステップと、
前記第１のＷＵＲチャネルが信頼できる送信をサポートしていると決定することに基づいて、少なくとも１つの受信されたＷＵＲフレーム中の命令に従うステップと
をさらに備える請求項１１に記載の方法。
【請求項１７】
前にネゴシエートされたＷＵＲ動作パラメータのセットは、前記ＷＴＲＵと前記ＡＰとの間でのＷＵＲセットアップ情報の交換中に前にネゴシエートされていた請求項１１に記載の方法。
【請求項１８】
前にネゴシエートされたＷＵＲ動作パラメータの前記セットは、ＷＵＲチャネル割当て、ＷＵＲデータレート、ＷＵＲチャネルホッピングパターン、ＷＵＲ開始時間、動作ＷＵＲチャネルのセット、ＷＵＲビーコン情報、ＷＵＲ同期情報、ＷＵＲ大モニタリング期間、前記ＷＴＲＵに割り当てられたＷＵＲ局識別情報（ＩＤ）、ＷＵＲデューティサイクル情報、またはショートＷＵＲネゴシエーション情報のうちの少なくとも１つを含む請求項１７に記載の方法。
【請求項１９】
ＷＵＲデューティサイクルに従って、前記ＷＵＲを周期的に電源オフおよび電源オンするステップであって、前記ＷＵＲは、１ミリワット（ｍＷ）を下回るアクティブ受信機電力消費量を有する、ステップ
をさらに備える請求項１１に記載の方法。
【請求項２０】
前記ＷＴＲＵは、８０２．１１局（ＳＴＡ）として構成された請求項１１に記載の方法。
【国際調査報告】
2020519176.tif 000020
2020519176.tif 000021
2020519176.tif 000022